(57)【特許請求の範囲】
【請求項１】
被冷却装置を冷却する循環水を冷却するために循環水を散布する散水部と、冷却された循環水を貯留する貯留部とを有する冷却塔と、
前記貯留部に貯留された循環水を前記冷却塔から前記被冷却装置へ供給する循環水供給ラインと、循環水を前記被冷却装置から前記冷却塔の前記散水部へ回収する循環水回収ラインとを有し、前記循環水供給ライン及び前記循環水回収ラインを介して前記冷却塔と前記被冷却装置との間で循環水を循環させる循環水ラインと、
補給水を前記貯留部、前記散水部及び前記循環水ラインのうちのいずれか１つ以上へ補給する補給水ラインと、
前記補給水ラインを介して補給水を前記貯留部、前記散水部及び前記循環水ラインのうちのいずれか１つ以上へ向けて流通させる補給水流通手段と、
前記貯留部に貯留された循環水を系外へ排出する排水ラインと、
循環水の酸化還元電位を測定する酸化還元電位測定装置と、
前記酸化還元電位測定装置により測定された循環水の酸化還元電位に基づいて循環水の清浄度を判定する第１判定手段と、
前記第１判定手段により循環水が清浄でないと判定された場合に、補給水を前記貯留部へ補給するように前記補給水流通手段を制御する第１制御手段と、
を備える水処理システム。
【請求項２】
前記排水ラインを介して、前記貯留部に貯留された循環水を系外へ向けて流通させる排水流通手段を更に備え、
前記第１制御手段は、前記第１判定手段により循環水が清浄でないと判定された場合に、補給水を前記貯留部へ補給するように前記補給水流通手段を制御すると共に、前記貯留部に貯留された循環水を系外へ排出するように前記排水流通手段を制御する
請求項１に記載の水処理システム。
【請求項３】
循環水の電気伝導率を測定する電気伝導率測定装置と、
前記電気伝導率測定装置により測定された循環水の電気伝導率に基づいて循環水の濃縮度を判定する第２判定手段と、
前記第１判定手段により循環水が清浄でないと判定された場合に、前記第２判定手段により循環水が濃縮していると判定されるまで、前記補給水流通手段による補給水の補給の制御及び前記排水流通手段による循環水の排出の制御を待機させ、前記第２判定手段により循環水が濃縮していると判定された後、補給水を前記貯留部へ補給するように前記補給水流通手段を制御すると共に、前記貯留部に貯留された循環水を系外へ排出するように前記排水流通手段を制御する第２制御手段と、
を更に備える請求項２に記載の水処理システム。
【請求項４】
前記第２制御手段は、前記第１判定手段により循環水が清浄でないと判定された場合に、前記第２判定手段により循環水が濃縮していると判定される前に所定時間が経過したときには、前記補給水流通手段による補給水の補給の制御及び前記排水流通手段による循環水の排出の制御の待機を解除する
請求項３に記載の水処理システム。
【請求項５】
被冷却装置を冷却する循環液が密閉状態で流通する冷却塔内部ラインと、該冷却塔内部ラインに位置する循環液を冷却するために散布水を該冷却塔内部ラインの外側へ散布する散水部と、散布された散布水を貯留する貯留部とを有する冷却塔と、
前記冷却塔内部ラインに位置する循環液を前記冷却塔から前記被冷却装置へ供給する循環液供給ラインと、循環液を前記被冷却装置から前記冷却塔の前記冷却塔内部ラインへ回収する循環液回収ラインとを有し、前記循環液供給ライン、前記循環液回収ライン及び冷却塔内部ラインを介して前記冷却塔と前記被冷却装置との間で循環液を循環させる循環液ラインと、
前記貯留部に接続されると共に前記散水部に接続され、該散水部から散布され前記貯留部に貯留された散布水を循環させる散布水ラインと、
補給水を前記貯留部、前記散水部及び前記散布水ラインのうちのいずれか１つ以上へ補給する補給水ラインと、
前記補給水ラインを介して補給水を前記貯留部、前記散水部及び前記散布水ラインのうちのいずれか１つ以上へ向けて流通させる補給水流通手段と、
前記貯留部に貯留された散布水を系外へ排出する排水ラインと、
散布水の酸化還元電位を測定する酸化還元電位測定装置と、
前記酸化還元電位測定装置により測定された散布水の酸化還元電位に基づいて散布水の清浄度を判定する第１判定手段と、
前記第１判定手段により散布水が清浄でないと判定された場合に、補給水を前記貯留部へ補給するように前記補給水流通手段を制御する第１制御手段と、
を備える水処理システム。
【請求項６】
前記排水ラインを介して、前記貯留部に貯留された散布水を系外へ向けて流通させる排水流通手段を更に備え、
前記第１制御手段は、前記第１判定手段により散布水が清浄でないと判定された場合に、補給水を前記貯留部へ補給するように前記補給水流通手段を制御すると共に、前記貯留部に貯留された散布水を系外へ排出するように前記排水流通手段を制御する
請求項５に記載の水処理システム。
【請求項７】
散布水の電気伝導率を測定する電気伝導率測定装置と、
前記電気伝導率測定装置により測定された散布水の電気伝導率に基づいて散布水の濃縮度を判定する第２判定手段と、
前記第１判定手段により散布水が清浄でないと判定された場合に、前記第２判定手段により散布水が濃縮していると判定されるまで、前記補給水流通手段による補給水の補給の制御及び前記排水流通手段による散布水の排出の制御を待機させ、前記第２判定手段により散布水が濃縮していると判定された後、補給水を前記貯留部へ補給するように前記補給水流通手段を制御すると共に、前記貯留部に貯留された散布水を系外へ排出するように前記排水流通手段を制御する第２制御手段と、
を更に備える請求項６に記載の水処理システム。
【請求項８】
前記第２制御手段は、前記第１判定手段により散布水が清浄でないと判定された場合に、前記第２判定手段により散布水が濃縮していると判定される前に所定時間が経過したときには、前記補給水流通手段による補給水の補給の制御及び前記排水流通手段による散布水の排出の制御の待機を解除する
請求項７に記載の水処理システム。
【発明の詳細な説明】
【技術分野】
【０００１】
本発明は、冷却塔へ循環水又は散布水を循環させる水処理システムに関する。
【背景技術】
【０００２】
商業ビル、工業プラント等においては、空調機や冷凍機に代表される熱交換機などの被冷却装置（冷却負荷装置）を冷却するために、冷却水が用いられる。冷却水は、その節約を図る観点から、冷却塔で冷却しながら循環して用いられる（循環する冷却水を以下「循環水」ともいう）。冷却塔は、大別して、開放式冷却塔及び密閉式冷却塔の２種類に分類することができる。
【０００３】
開放式冷却塔は、一般的に、塔本体と、塔本体の上部に設けられる排気口、ファン及び散水部と、塔本体の下部に設けられる貯留部と、塔本体の側部に設けられる通気孔と、を備える。散水部は、被冷却装置を冷却する循環水を冷却するために、循環水を散布する部位である。貯留部は、冷却された循環水を貯留する部位である。
【０００４】
循環水は、循環水供給ライン及び循環水回収ラインを介して、開放式冷却塔と被冷却装置との間を循環する。詳述すると、循環水は、冷却塔から循環水供給ラインを介して被冷却装置へ供給される。供給された循環水は、被冷却装置の冷却に用いられ、この冷却の際の熱交換により加温される。加温された循環水は、循環水回収ラインを介して冷却塔へ回収される。被冷却装置から回収された循環水は、散水部に導入され、散水部から散布される。散布された循環水は、貯留部に落下し、貯留される。
【０００５】
また、開放式冷却塔においては、ファンが駆動することにより、外気は、通気孔を介して冷却塔の内部に流入し、排気口から排出される。ここで、散布された循環水は、貯留部に落下する過程において、ファンにより発生する気流、すなわち、通気孔から排出口へ流通する外気に触れることにより冷却され、貯留部に貯留される。
冷却され貯留部に貯留された循環水は、循環水供給ラインを介して被冷却装置へ再度供給され、被冷却装置を冷却する。このようにして、被冷却装置を冷却する循環水は、開放式冷却塔と被冷却装置との間を循環することになる。
【０００６】
一方、密閉式冷却塔は、開放式冷却塔に比して、冷却塔に、被冷却装置を冷却する循環液が密閉状態で流通する冷却塔内部ラインと、冷却塔内部ラインに位置する循環液を冷却するために散布水を冷却塔内部ラインの外側へ散布する散水部と、散布された散布水を貯留する貯留部とが設けられている点、及び、冷却塔に、散水部から散布され貯留部に貯留された散布水を循環させる散布水ラインが接続されている点が、主として異なる。
【０００７】
詳述すると、密閉式冷却塔は、一般的に、塔本体と、塔本体の上部に設けられる排気口、ファン及び散水部と、塔本体の内部に設けられる冷却塔内部ラインと、塔本体の下部に設けられる貯留部と、塔本体の側部に設けられる通気孔と、を備える。冷却塔内部ラインは、被冷却装置を冷却する循環液が密閉状態で流通するラインである。散水部は、冷却塔内部ラインに位置する循環液を冷却するために、散布水を冷却塔内部ラインの外側へ散布する部位である。貯留部は、散布された散布水を貯留する部位である。
【０００８】
循環液は、循環液供給ライン、循環液回収ライン及び冷却塔内部ラインを介して、密閉式冷却塔と被冷却装置との間を循環する。詳述すると、循環液は、冷却塔の冷却塔内部ラインから循環液供給ラインを介して被冷却装置へ供給される。供給された循環液は、被冷却装置の冷却に用いられ、この冷却の際の熱交換により加温される。加温された循環液は、循環液回収ラインを介して冷却塔の冷却塔内部ラインへ回収される。このようにして、被冷却装置を冷却する循環液は、密閉式冷却塔と被冷却装置との間を循環することになる。
【０００９】
一方、密閉式冷却塔においては、散布水は、散布水ラインから散水部に導入される。導入された散布水は、散水部から冷却塔内部ラインの外側へ散布される。散布された散布水は、貯留部に落下し、貯留される。
また、ファンが駆動することにより、外気は、通気孔を介して冷却塔の内部に流入し、排気口から排出される。ここで、散布された散布水は、貯留部に落下する過程において、ファンにより発生する気流、すなわち、通気孔から排出口へ流通する外気（エア）に触れることにより冷却された後、貯留部に貯留される。
冷却され貯留部に貯留された散布水は、散布水ラインを介して散水部へ再度導入され、散水部から散布され、冷却塔内部ラインに位置する循環液を冷却する。このようにして、循環液を冷却する散布水は、散布水ラインを循環することになる。
【００１０】
また、冷却塔（開放式冷却塔、密閉式冷却塔）を含む水処理システムでは、循環する循環水又は散布水を散布するため、循環水又は散布水の水分が蒸発し、循環水又は散布水が濃縮する。これにより、循環水中又は散布水中には、溶存塩類や栄養源が高濃度に含まれるようになる。その結果、循環水又は散布水の水質が悪化して、スライムや藻類が発生し、通水性の悪化や冷却能力の低下を招く虞がある。また、スライム等に起因してレジオネラ属菌が繁殖し、繁殖したレジオネラ属菌が飛散水に同伴されて、大気中に飛散される虞がある。
【００１１】
また、循環水又は散布水は、一般的に、塩化物イオン等の腐食性イオンや、炭酸カルシウム、シリカ等のスケール発生因子を含む。循環水又は散布水の水分が蒸発すると、循環水中又は散布水中における腐食性イオン及びスケール発生因子の濃度が高まる。これに伴って、塔本体や各種の配管系（ライン）において腐食が促進され、また、スケールの発生が促進される。また、スケールが堆積して被冷却装置や各種の配管系等に付着すると、通水性の悪化や冷却能力の低下を招く虞がある。
【００１２】
そこで、冷却塔には、循環水又は散布水が過度に濃縮する（濃度が高まる）ことを抑制するために、電気伝導率計、補給水ライン及び排水ラインが接続されている。冷却塔は、貯溜部に貯留された循環水や散布水が濃縮すると、電気伝導率計が測定する循環水や散布水の電気伝導率に基づいて、排水ラインを介して濃縮した循環水や散布水を系外に排水すると共に、補給水ラインを介して原水等の補給水を補給する。このようにして冷却塔は、循環水又は散布水における濃度を低下させ、循環水又は散布水の濃縮を解消する（例えば、特許文献１参照）。
【先行技術文献】
【特許文献】
【００１３】
【特許文献１】特開２００３−２６９８８８号公報
【発明の概要】
【発明が解決しようとする課題】
【００１４】
ところで、循環水や散布水の系内（例えば、配管系等）におけるスライム等の発生を防止するためには、酸化剤等の殺菌剤を投入して系内の残留塩素濃度をある程度高くする必要がある。一方、系内の金属材の腐食の防止のためには、系内の残留塩素濃度を過度に高くすることはできない。そのため、系内の残留塩素濃度を適正範囲内にする必要がある。しかしながら、電気伝導率計では、残留塩素濃度を測定することができない。
【００１５】
そこで、本発明者は、水中の残留塩素濃度が酸化還元電位を上昇させる要因となり、残留塩素濃度が高いと酸化還元電位が高く、残留塩素濃度が低いと酸化還元電位が低くなることから、酸化還元電位に基づいて濃縮した循環水又は散布水を系外へ排水することにより、スライム、スケール等の発生の抑制及び配管系の腐食を抑制可能であることを知見した。
【００１６】
本発明は、前記知見に基づいてなされたものであって、スライム、スケール等の発生の抑制及び配管系等の腐食の抑制を一層確実に行うことができる水処理システムを提供することを目的とする。
【課題を解決するための手段】
【００１７】
本発明は、被冷却装置を冷却する循環水を冷却するために循環水を散布する散水部と、冷却された循環水を貯留する貯留部とを有する冷却塔と、前記貯留部に貯留された循環水を前記冷却塔から前記被冷却装置へ供給する循環水供給ラインと、循環水を前記被冷却装置から前記冷却塔の前記散水部へ回収する循環水回収ラインとを有し、前記循環水供給ライン及び前記循環水回収ラインを介して前記冷却塔と前記被冷却装置との間で循環水を循環させる循環水ラインと、補給水を前記貯留部、前記散水部及び前記循環水ラインのうちのいずれか１つ以上へ補給する補給水ラインと、前記補給水ラインを介して補給水を前記貯留部、前記散水部及び前記循環水ラインのうちのいずれか１つ以上へ向けて流通させる補給水流通手段と、前記貯留部に貯留された循環水を系外へ排出する排水ラインと、循環水の酸化還元電位を測定する酸化還元電位測定装置と、前記酸化還元電位測定装置により測定された循環水の酸化還元電位に基づいて循環水の清浄度を判定する第１判定手段と、前記第１判定手段により循環水が清浄でないと判定された場合に、補給水を前記貯留部へ補給するように前記補給水流通手段を制御する第１制御手段と、を備える水処理システムに関する。
【００１８】
また、前記排水ラインを介して、前記貯留部に貯留された循環水を系外へ向けて流通させる排水流通手段を更に備え、前記第１制御手段は、前記第１判定手段により循環水が清浄でないと判定された場合に、補給水を前記貯留部へ補給するように前記補給水流通手段を制御すると共に、前記貯留部に貯留された循環水を系外へ排出するように前記排水流通手段を制御することが好ましい。
【００１９】
また、循環水の電気伝導率を測定する電気伝導率測定装置と、前記電気伝導率測定装置により測定された循環水の電気伝導率に基づいて循環水の濃縮度を判定する第２判定手段と、前記第１判定手段により循環水が清浄でないと判定された場合に、前記第２判定手段により循環水が濃縮していると判定されるまで、前記補給水流通手段による補給水の補給の制御及び前記排水流通手段による循環水の排出の制御を待機させ、前記第２判定手段により循環水が濃縮していると判定された後、補給水を前記貯留部へ補給するように前記補給水流通手段を制御すると共に、前記貯留部に貯留された循環水を系外へ排出するように前記排水流通手段を制御する第２制御手段と、を更に備えることが好ましい。
【００２０】
また、前記第２制御手段は、前記第１判定手段により循環水が清浄でないと判定された場合に、前記第２判定手段により循環水が濃縮していると判定される前に所定時間が経過したときには、前記補給水流通手段による補給水の補給の制御及び前記排水流通手段による循環水の排出の制御の待機を解除することが好ましい。
【００２１】
本発明は、被冷却装置を冷却する循環液が密閉状態で流通する冷却塔内部ラインと、該冷却塔内部ラインに位置する循環液を冷却するために散布水を該冷却塔内部ラインの外側へ散布する散水部と、散布された散布水を貯留する貯留部とを有する冷却塔と、前記冷却塔内部ラインに位置する循環液を前記冷却塔から前記被冷却装置へ供給する循環液供給ラインと、循環液を前記被冷却装置から前記冷却塔の前記冷却塔内部ラインへ回収する循環液回収ラインとを有し、前記循環液供給ライン、前記循環液回収ライン及び冷却塔内部ラインを介して前記冷却塔と前記被冷却装置との間で循環液を循環させる循環液ラインと、前記貯留部に接続されると共に前記散水部に接続され、該散水部から散布され前記貯留部に貯留された散布水を循環させる散布水ラインと、補給水を前記貯留部、前記散水部及び前記散布水ラインのうちのいずれか１つ以上へ補給する補給水ラインと、前記補給水ラインを介して補給水を前記貯留部、前記散水部及び前記散布水ラインのうちのいずれか１つ以上へ向けて流通させる補給水流通手段と、前記貯留部に貯留された散布水を系外へ排出する排水ラインと、散布水の酸化還元電位を測定する酸化還元電位測定装置と、前記酸化還元電位測定装置により測定された散布水の酸化還元電位に基づいて散布水の清浄度を判定する第１判定手段と、前記第１判定手段により散布水が清浄でないと判定された場合に、補給水を前記貯留部へ補給するように前記補給水流通手段を制御する第１制御手段と、を備えることが好ましい。
【００２２】
また、前記排水ラインを介して、前記貯留部に貯留された散布水を系外へ向けて流通させる排水流通手段を更に備え、前記第１制御手段は、前記第１判定手段により散布水が清浄でないと判定された場合に、補給水を前記貯留部へ補給するように前記補給水流通手段を制御すると共に、前記貯留部に貯留された散布水を系外へ排出するように前記排水流通手段を制御することが好ましい。
【００２３】
また、散布水の電気伝導率を測定する電気伝導率測定装置と、前記電気伝導率測定手段により測定された散布水の電気伝導率に基づいて散布水の濃縮度を判定する第２判定手段と、前記第１判定手段により散布水が清浄でないと判定された場合に、前記第２判定手段により散布水が濃縮していると判定されるまで、前記補給水流通手段による補給水の補給の制御及び前記排水流通手段による散布水の排出の制御を待機させ、前記第２判定手段により散布水が濃縮していると判定された後、補給水を前記貯留部へ補給するように前記補給水流通手段を制御すると共に、前記貯留部に貯留された散布水を系外へ排出するように前記排水流通手段を制御する第２制御手段と、を更に備えることが好ましい。
【００２４】
また、前記第２制御手段は、前記第１判定手段により散布水が清浄でないと判定された場合に、前記第２判定手段により散布水が濃縮していると判定される前に所定時間が経過したときには、前記補給水流通手段による補給水の補給の制御及び前記排水流通手段による散布水の排出の制御の待機を解除することが好ましい。
【発明の効果】
【００２５】
本発明によれば、スライム、スケール等の発生の抑制及び配管系等の腐食の抑制を一層確実に行うことができる水処理システムを提供することができる。
【図面の簡単な説明】
【００２６】
【図１】本発明の第１実施形態の水処理システム１００を示す概略構成図である。
【図２】第１実施形態の水処理システム１００の制御に係る機能ブロック図である。
【図３】第１実施形態の水処理システム１００の動作を示すフローチャートである。
【図４】第１実施形態の水処理システム１００の動作を示すフローチャートである。
【図５】本発明の第２実施形態の水処理システム２００を示す概略構成図である。
【図６】第２実施形態の水処理システム２００の制御に係る機能ブロック図である。
【図７】第１実施形態における原水補給水Ｗ１２１及び軟化水補給水Ｗ１２２の補給位置に関する第１変形例を示す図である。
【図８】第１実施形態における原水補給水Ｗ１２１及び軟化水補給水Ｗ１２２の補給位置に関する第２変形例を示す図である。
【図９】第１実施形態における原水補給水Ｗ１２１及び軟化水補給水Ｗ１２２の補給位置に関する第３変形例を示す図である。
【図１０】第１実施形態における原水補給水Ｗ１２１及び軟化水補給水Ｗ１２２の補給位置に関する第４変形例を示す図である。
【図１１】第１実施形態における原水補給水Ｗ１２１及び軟化水補給水Ｗ１２２の補給位置に関する第５変形例を示す図である。
【図１２】第１実施形態における原水補給水Ｗ１２１及び軟化水補給水Ｗ１２２の補給位置に関する第６変形例を示す図である。
【発明を実施するための形態】
【００２７】
＜第１実施形態＞
図１を参照して、本発明の第１実施形態の水処理システム１００の概略について説明する。図１は、本発明の第１実施形態の水処理システム１００を示す概略構成図である。
【００２８】
図１に示すように、第１実施形態の水処理システム１００は、冷却塔１１０を有しており、商業ビル、工業プラント等において、空調機や冷凍機に代表される熱交換機などの被冷却装置１３１を冷却するために、冷却水を循環させるシステムである。冷却水は、その節約を図る観点から、冷却塔１１０で冷却しながら循環して用いられる（循環する冷却水を以下「循環水Ｗ１１０」ともいう）。第１実施形態における冷却塔１１０は、いわゆる開放式冷却塔からなる。
【００２９】
第１実施形態の水処理システム１００は、循環水Ｗ１１０の貯留部１１６を有する冷却塔１１０と、被冷却装置１３１と、冷却塔１１０と被冷却装置１３１との間で循環水Ｗ１１０を循環させる循環水ラインＬ１１０と、冷却塔１１０の貯留部１１６に補給水Ｗ１２０を補給する補給水ラインＬ１２０と、冷却塔１１０の貯留部１１６から循環水Ｗ１１０を水処理システム１００の系外へ強制的に排出する排水ラインＬ１３０と、冷却塔１１０の貯留部１１６から溢れる循環水Ｗ１１０を排出するオーバーフローラインＬ１４０と、循環水Ｗ１１０の電気伝導率を測定する電気伝導率測定装置１３３と、循環水Ｗ１１０の酸化還元電位を測定する酸化還元電位測定装置１３４と、水処理システム１００の各部の制御を行うシステム制御装置１０１と、を主体として構成されている。
【００３０】
循環水ラインＬ１１０は、貯留部１１６に貯留された循環水Ｗ１１０を冷却塔１１０から被冷却装置１３１へ供給する循環水供給ラインＬ１１１と、循環水Ｗ１１０を被冷却装置１３１から冷却塔１１０の散水部１１２へ回収する循環水回収ラインＬ１１２と、を有する。
「ライン」とは、流路、経路、管路などの流体の流通が可能なラインの総称である。
【００３１】
第１実施形態における冷却塔１１０について説明する。冷却塔１１０は、被冷却装置１３１を冷却するための循環水Ｗ１１０を、被冷却装置１３１へ供給する前に、冷却するものである。冷却塔１１０は、塔本体１１１と、散水部１１２と、貯留部１１６と、ルーバ１１８と、ファン１２０と、上部開口部１２１と、ファン駆動部１２２と、を備える。
【００３２】
塔本体１１１は、冷却塔１１０の外郭を形成するものである。塔本体１１１の上部には、複数の散水部１１２、ファン１２０、上部開口部１２１及びファン駆動部１２２が設けられる。塔本体１１１の下部には、貯留部１１６が設けられる。塔本体１１１の側部には、ルーバ１１８が設けられる。
【００３３】
散水部１１２は、被冷却装置１３１を冷却する循環水Ｗ１１０を冷却するために、循環水Ｗ１１０を散布する部位である。散水部１１２は、循環水回収ラインＬ１１２を介して被冷却装置１３１から回収された循環水Ｗ１１０を、塔本体１１１の内部に散布（散水）する。
【００３４】
散水部１１２は、上部水槽１１３と、散水口１１４とを備える。上部水槽１１３には、循環水ラインＬ１１０の循環水回収ラインＬ１１２が接続されている。上部水槽１１３は、循環水回収ラインＬ１１２を介して被冷却装置１３１から回収された循環水Ｗ１１０を貯留する。散水口１１４は、上部水槽１１３に貯留された循環水Ｗ１１０を散布するために上部水槽１１３の下側に形成されたノズルからなる。
【００３５】
塔本体１１１の内部における散水部１１２の下方には、充填材（図示せず）が設けられる。充填材は、散水部１１２から散布された循環水Ｗ１１０を滴状にして、循環水Ｗ１１０と外気Ｅ１（後述）との接触面積及び接触時間を長くして、循環水Ｗ１１０を効率的に冷却するために設けられる。
【００３６】
貯留部１１６は、散水部１１２から散布された循環水Ｗ１１０を貯留する。貯留部１１６は、塔本体１１１の下部に設けられる。後述するように、貯留部１１６に貯留された循環水Ｗ１１０は、塔本体１１１の内部を落下する過程において冷却される。貯留部１１６の底部には、循環水ラインＬ１１０の循環水供給ラインＬ１１１及び排水ラインＬ１３０が接続されている。貯留部１１６に貯留された循環水Ｗ１１０は、循環水供給ラインＬ１１１を介して被冷却装置１３１へ供給される。また、貯留部１１６に貯留された循環水Ｗ１１０は、排水ラインＬ１３０を介して水処理システム１００の系外へ排出される。
【００３７】
ルーバ１１８は、塔本体１１１の内部へ外気（エア）Ｅ１を導入するための通気孔であり、塔本体１１１の外部と内部とを連通する。ルーバ１１８を介して、塔本体１１１の外部のエア（外気）Ｅ１は、塔本体１１１の内部へ流入することができる。
【００３８】
上部開口部１２１は、塔本体１１１の上部に形成された開口部であり、塔本体１１１の内部に位置するエアＥ１を塔本体１１１の外部に排出するために設けられる。排出されたエアを「排気Ｅ２」ともいう。
【００３９】
ファン１２０は、上部開口部１２１に配置されている。ファン１２０の回転軸１２０ａは、上下方向に延びるように配置されている。ファン１２０は、ルーバ１１８から塔本体１１１の内部へ外気（エア）Ｅ１を流入させると共に、塔本体１１１の内部に位置するエアＥ１を、上部開口部１２１を介して塔本体１１１の外部に排出させるように、気流を発生させる。
【００４０】
ファン駆動部１２２は、モータ等からなり、ファン１２０を回転駆動する。ファン駆動部１２２は、ファン１２０の上方に配置されており、ファン１２０の回転軸１２０ａに連結されている。ファン駆動部１２２は、ファン１２０の回転駆動の開始又は停止、回転速度の調整（変速）などを行う。
【００４１】
冷却塔１１０には、循環水ラインＬ１１０及び排水ラインＬ１３０の他に、補給水ラインＬ１２０（原水補給水ラインＬ１２２、軟化水補給水ラインＬ１２３）及びオーバーフローラインＬ１４０が接続されている。これらの各ラインを介して、冷却塔１１０に対して、循環水Ｗ１１０が導入又は排出されると共に、補給水Ｗ１２０（原水補給水Ｗ１２１及び／又は軟化水補給水Ｗ１２２）が補給される。
【００４２】
循環水ラインＬ１１０は、冷却塔１１０と被冷却装置１３１との間で循環水Ｗ１１０を循環させるラインである。循環水ラインＬ１１０は、貯留部１１６に貯留された循環水Ｗ１１０を冷却塔１１０から被冷却装置１３１へ供給する循環水供給ラインＬ１１１と、循環水Ｗ１１０を被冷却装置１３１から冷却塔１１０の散水部１１２へ回収する循環水回収ラインＬ１１２と、を有する。循環水ラインＬ１１０は、循環水供給ラインＬ１１１及び循環水回収ラインＬ１１２を介して、冷却塔１１０と被冷却装置１３１との間で循環水Ｗ１１０を循環させる。
【００４３】
循環水供給ラインＬ１１１は、冷却塔１１０の貯留部１１６と被冷却装置１３１とを接続する。循環水供給ラインＬ１１１は、貯留部１１６に貯留された循環水Ｗ１１０を被冷却装置１３１に供給することができる。
循環水供給ラインＬ１１１の途中には、循環水ポンプ１３２が接続されている。循環水ポンプ１３２は、循環水ラインＬ１１０（循環水供給ラインＬ１１１、循環水回収ラインＬ１１２）の上流側から下流側へ向けて、循環水Ｗ１１０を送り出すことができる。
【００４４】
循環水回収ラインＬ１１２は、被冷却装置１３１と冷却塔１１０の散水部１１２とを接続する。循環水回収ラインＬ１１２は、被冷却装置１３１において熱交換により加温された循環水Ｗ１１０を、冷却塔１１０の散水部１１２へ回収することができる。循環水回収ラインＬ１１２の下流側は、回収分岐部Ｊ１１１において複数のラインに分岐している。循環水回収ラインＬ１１２において、回収分岐部Ｊ１１１よりも上流側のラインを「上流側循環水回収ラインＬ１１２ａ」ともいい、回収分岐部Ｊ１１１よりも下流側の複数のラインを「下流側循環水回収ラインＬ１１２ｂ」ともいう。複数の下流側循環水回収ラインＬ１１２ｂの下流側の端部は、それぞれ複数の散水部１１２に接続されている。
【００４５】
被冷却装置１３１は、循環水Ｗ１１０による冷却が必要な熱交換器等の各種装置であり、例えば、各種の化学プラントのターボ冷凍機や吸収冷凍機、建築物の空調用冷却機、食品工場の冷水製造機や真空冷却機などである。被冷却装置１３１は、所要の循環水流路（図示せず）を有している。この循環水流路は、循環水導入部１３１ａと循環水排出部１３１ｂとを有している。
【００４６】
そして、循環水導入部１３１ａには、循環水供給ラインＬ１１１の下流側の端部が接続されている。循環水排出部１３１ｂには、循環水回収ラインＬ１１２の上流側の端部が接続されている。このように、循環水流路は、循環水供給ラインＬ１１１及び循環水回収ラインＬ１１２と共に、冷却塔１１０の塔本体１１１と被冷却装置１３１との間で循環水Ｗ１１０を循環させるための循環経路を形成している。
【００４７】
電気伝導率測定装置１３３は、循環水Ｗ１１０の電気伝導率を測定する装置である。電気伝導率測定装置１３３は、循環水ラインＬ１１０に接続されている。詳細には、循環水供給ラインＬ１１１における循環水ポンプ１３２と被冷却装置１３１との間には、測定接続部Ｊ１１２が設けられている。電気伝導率測定装置１３３は、測定ラインＬ１１３を介して、測定接続部Ｊ１１２において循環水供給ラインＬ１１１に接続されている。
【００４８】
酸化還元電位測定装置１３４は、循環水Ｗ１１０の酸化還元電位を測定する装置である。酸化還元電位測定装置１３４は、循環水ラインＬ１１０に接続されている。詳細には、酸化還元電位測定装置１３４は、測定ラインＬ１１３を介して、測定接続部Ｊ１１２において循環水供給ラインＬ１１１に接続されている。
【００４９】
補給水ラインＬ１２０は、補給水Ｗ１２０を冷却塔１１０の貯留部１１６へ補給するラインである。補給水ラインＬ１２０は、源流側補給水ラインＬ１２１と、補給水分岐部Ｊ１２１と、原水補給水ラインＬ１２２と、軟化水補給水ラインＬ１２３と、を備える。
補給水分岐部Ｊ１２１は、源流側補給水ラインＬ１２１から原水補給水ラインＬ１２２と軟化水補給水ラインＬ１２３とが分岐する部位である。
【００５０】
源流側補給水ラインＬ１２１の上流側は、水道水や工業用水等の原水からなる補給水Ｗ１２０の供給源（図示せず）に接続されている。源流側補給水ラインＬ１２１の下流側は、補給水分岐部Ｊ１２１に接続されている。源流側補給水ラインＬ１２１には、補給水Ｗ１２０の供給源から供給される補給水Ｗ１２０が流通する。
【００５１】
源流側補給水ラインＬ１２１には、上流側から順に、補給水ポンプ１４１及び補給水バルブ１４２が接続されている。補給水ポンプ１４１は、補給水ラインＬ１２０（源流側補給水ラインＬ１２１、原水補給水ラインＬ１２２、軟化水補給水ラインＬ１２３）の上流側から下流側へ向けて、補給水Ｗ１２０を送り出すことができる。補給水バルブ１４２は、補給水分岐部Ｊ１２１と補給水ポンプ１４１との間において、源流側補給水ラインＬ１２１を開閉することができる。
【００５２】
原水補給水ラインＬ１２２の上流側の端部は、補給水分岐部Ｊ１２１を介して、源流側補給水ラインＬ１２１に接続されている。原水補給水ラインＬ１２２には、源流側補給水ラインＬ１２１及び補給水分岐部Ｊ１２１を介して、補給水Ｗ１２０が導入され、流通する。なお、原水補給水ラインＬ１２２を流通する補給水Ｗ１２０は、源流側補給水ラインＬ１２１を流通する補給水Ｗ１２０と同じであるが、説明の便宜上、源流側補給水ラインＬ１２１を流通する補給水Ｗ１２０を「原水補給水Ｗ１２１」ともいう。
【００５３】
原水補給水ラインＬ１２２は、原水補給水Ｗ１２１を冷却塔１１０の貯留部１１６へ補給するラインである。原水補給水ラインＬ１２２の下流側の端部１５３は、冷却塔１１０の塔本体１１１に接続されており、貯留部１１６の上方に離間して位置する。
原水補給水ラインＬ１２２には、上流側から順に、補助原水補給水バルブ１５１及び原水補給水バルブ１５２が接続されている。
【００５４】
補助原水補給水バルブ１５１は、通常、開放しているが、原水補給水バルブ１５２のメンテナンス時などに閉鎖して用いられる。
原水補給水バルブ１５２は、制御弁から構成されている。原水補給水バルブ１５２は、原水補給水ラインＬ１２２の下流側の端部１５３と補給水分岐部Ｊ１２１（補助原水補給水バルブ１５１）との間において、原水補給水ラインＬ１２２を開閉することができる。本実施形態においては、補給水ポンプ１４１、原水補給水バルブ１５２等から「原水補給水ラインＬ１２２を介して原水補給水Ｗ１２１を貯留部１１６へ向けて流通させる補給水流通手段」が構成されている。
【００５５】
軟化水補給水ラインＬ１２３は、軟化水補給水Ｗ１２２を冷却塔１１０の貯留部１１６へ補給するラインである。軟化水補給水ラインＬ１２３には、上流側から順に、軟水化装置１４３及び軟化水補給水バルブ１４４が接続されている。
軟化水補給水ラインＬ１２３の上流側の端部は、補給水分岐部Ｊ１２１を介して、源流側補給水ラインＬ１２１に接続されている。軟化水補給水ラインＬ１２３の下流側の端部は、冷却塔１１０の塔本体１１１に接続されており、貯留部１１６の底部から離間して位置する。
【００５６】
軟化水補給水ラインＬ１２３の下流側の端部には、貯留部１１６に貯留される循環水Ｗ１１０の水位を管理するボールタップ式の給水栓１４５が設けられている。給水栓１４５は、貯留部１１６に貯留される循環水Ｗ１１０の水位が低下すると、ボールタップが作動し、軟化水補給水ラインＬ１２３を流通する軟化水補給水Ｗ１２２が貯留部１１６に補給されるように構成されている。
【００５７】
軟水化装置１４３は、原水（硬水）からなる補給水Ｗ１２０を軟水化し、軟化水補給水Ｗ１２２を生成する（得る）装置である。軟水化装置１４３は、補給水Ｗ１２０に含まれる硬度成分、具体的には、カルシウムイオン及びマグネシウムイオンを低減し（除去し）、原水からなる補給水Ｗ１２０から軟化水補給水Ｗ１２２を生成する装置である。
【００５８】
軟化水とは、原水（硬水）に軟水化処理を行うことにより得られる（生成される）、硬度が低減された水をいう。軟化水には、原水（硬水）に純水化処理を行うことにより得られる（生成される）純水も含まれる。つまり、軟化水には純水が含まれ、また、軟水化処理には純水化処理が含まれる。
軟化水は、硬度が１０ｍｇ／Ｌ以下に低減されているものが好ましく、硬度が１ｍｇ／Ｌ以下に低減されているものが更に好ましい。
【００５９】
軟水化装置１４３は、軟水化処理を行うことができれば特に制限されない。軟水化装置１４３としては、イオン交換樹脂を利用して陽イオン交換を行い軟水化処理を行う陽イオン交換装置、イオン交換樹脂を利用して陽イオン交換及び陰イオン交換を行い軟水化処理を行うイオン交換装置、逆浸透膜（ＲＯ膜）を利用して濾過を行い軟水化処理を行う逆浸透膜装置、電気透析を利用して軟水化処理を行う電気透析装置（電気式脱イオン装置）などが挙げられる。
【００６０】
軟化水補給水バルブ１４４は、制御弁から構成されている。軟化水補給水バルブ１４４は、軟化水補給水ラインＬ１２３の下流側の端部と軟水化装置１４３との間において、軟化水補給水ラインＬ１２３を開閉することができる。
【００６１】
排水ラインＬ１３０は、貯留部１１６の底部に接続されており、下方に向けて延びている。排水ラインＬ１３０は、貯留部１１６に貯留された循環水Ｗ１１０を、排水Ｗ１３０として水処理システム１００の系外へ排出する。排水ラインＬ１３０の途中には、排水バルブ１６１が接続されている。排水ラインＬ１３０における排水バルブ１６１の下流側には、オーバーフローラインＬ１４０（後述）が、排水合流部Ｊ１３１を介して接続されている。排水バルブ１６１は、制御弁から構成されている。排水バルブ１６１は、貯留部１１６と排水合流部Ｊ１３１との間において、排水ラインＬ１３０を開閉することができる。
【００６２】
オーバーフローラインＬ１４０は、貯留部１１６から溢れる循環水Ｗ１１０を、排水Ｗ１３０として水処理システム１００の系外へ排出するラインである。オーバーフローラインＬ１４０の上流側の端部１６２は、冷却塔１１０の貯留部１１６から上方に離間した位置に位置する。オーバーフローラインＬ１４０は、排水合流部Ｊ１３１において排水ラインＬ１３０と接続（合流）する。
【００６３】
貯留部１１６から溢れる循環水Ｗ１１０は、オーバーフローラインＬ１４０の上流側の端部１６２からオーバーフローラインＬ１４０へ流入する。オーバーフローラインＬ１４０へ流入した循環水Ｗ１１０は、排水合流部Ｊ１３１を介して排水ラインＬ１３０へ流入し、水処理システム１００の系外へ排出される。
本実施形態においては、排水バルブ１６１から、「排水ラインＬ１３０を介して貯留部１１６に貯留された循環水Ｗ１１０を系外へ向けて流通させる排水流通手段」が構成されている。
【００６４】
次に、図２を参照して、第１実施形態の水処理システム１００の制御に係る機能について説明する。図２は、第１実施形態の水処理システム１００の制御に係る機能ブロック図である。
システム制御装置１０１は、第１実施形態の水処理システム１００における各機器等を制御する。図２に示すように、システム制御装置１０１は、例えば、補給水ポンプ１４１、軟化水補給水バルブ１４４、原水補給水バルブ１５２、排水バルブ１６１、ファン駆動部１２２に電気的に接続され、補給水ポンプ１４１、軟化水補給水バルブ１４４、原水補給水バルブ１５２、排水バルブ１６１及びファン駆動部１２２を制御する。
【００６５】
また、システム制御装置１０１は、水処理システム１００における各測定装置に電気的に接続され、各測定装置から測定情報を受信する。例えば、システム制御装置１０１は、電気伝導率測定装置１３３に電気的に接続され、電気伝導率測定装置１３３により測定された電気伝導率情報を受信する。また、システム制御装置１０１は、酸化還元電位測定装置１３４に電気的に接続され、酸化還元電位測定装置１３４により測定された酸化還元電位情報を受信する。
【００６６】
システム制御装置１０１は、制御部１０２と、メモリ１０３と、を備える。
制御部１０２は、第１判定手段としての第１判定部１８１と、第１制御手段としての第１制御部１８２と、第２判定手段としての第２判定部１８３と、第２制御手段としての第２制御部１８４と、を有する。
【００６７】
第１判定部１８１は、酸化還元電位測定装置１３４により測定される循環水Ｗ１１０の酸化還元電位に基づいて、循環水Ｗ１１０の清浄度（清浄であるか否か）を判定する。清浄度は、循環水Ｗ１１０の酸化還元電位が所定の閾値以下であるか否かにより判定される。所定の閾値としては、例えば、スライムの発生の抑制及び腐食の抑制を確保できる下限の酸化還元電位が設定される。第１判定部１８１は、酸化還元電位測定装置１３４により測定される循環水Ｗ１１０の酸化還元電位が所定の閾値以下である場合には、循環水Ｗ１１０が清浄でないと判定する。
【００６８】
第１制御部１８２は、第１判定部１８１により循環水Ｗ１１０が清浄でない（酸化還元電位が所定の閾値以下である）と判定された場合に、補給水ポンプ１４１、軟化水補給水バルブ１４４、原水補給水バルブ１５２及び排水バルブ１６１を制御する。各機器の制御は、メモリ１０３に格納された後述の第１判定テーブル１８５に基づいて行われる。第１制御部１８２による各機器の制御により、冷却塔１１０の貯留部１１６に貯留された循環水Ｗ１１０が系外へ向けて排出されると共に、補給水Ｗ１２０（原水補給水Ｗ１２１及び／又は軟化水補給水Ｗ１２２）が貯留部１１６に補給される。
【００６９】
なお、補給水としては、原水補給水Ｗ１２１又は軟化水補給水Ｗ１２２を補給することができる。そのため、以下においては、原水補給水Ｗ１２１及び軟化水補給水Ｗ１２２を区別することなく、補給水Ｗ１２０と表記する。
【００７０】
第２判定部１８３は、電気伝導率測定装置１３３により測定される循環水Ｗ１１０の電気伝導率に基づいて、循環水Ｗ１１０の濃縮度（濃縮しているか否か）を判定する。濃縮度は、循環水Ｗ１１０の電気伝導率が所定の閾値以上であるか否かにより判定される。所定の閾値としては、例えば、スライム、スケール等の発生の抑制を確保できる上限の電気伝導率が設定される。第２判定部１８３は、電気伝導率測定装置１３３により測定される循環水Ｗ１１０の電気伝導率が所定の閾値以上である場合には、循環水Ｗ１１０が濃縮していると判定する。
【００７１】
第２制御部１８４は、第２判定部１８３により循環水Ｗ１１０が濃縮している（電気伝導率が所定の閾値以上である）と判定された場合に、補給水ポンプ１４１、軟化水補給水バルブ１４４、原水補給水バルブ１５２及び排水バルブ１６１を制御する。各機器の制御は、メモリ１０３に格納された後述の第２判定テーブル１８６に基づいて行われる。第２制御部１８４による各機器の制御により、冷却塔１１０の貯留部１１６に貯留された循環水Ｗ１１０が系外へ向けて排出されると共に、補給水Ｗ１２０が冷却塔１１０の貯留部１１６に補給される。
【００７２】
また、第２制御部１８４は、第１判定部１８１により循環水Ｗ１１０が清浄でない（酸化還元電位が所定の閾値以下である）と判定された場合には、第２判定部１８３により循環水Ｗ１１０が濃縮している（電気伝導率が所定の閾値以上である）と判定されるまで、第１制御部１８２による補給水ポンプ１４１、軟化水補給水バルブ１４４、原水補給水バルブ１５２及び排水バルブ１６１の制御を所定時間待機（停止）させる。
【００７３】
つまり、第１判定部１８１により循環水Ｗ１１０が清浄でない（酸化還元電位が所定の閾値以下である）と判定された場合においては、第１制御部１８２は、直ちに補給水ポンプ１４１、軟化水補給水バルブ１４４、原水補給水バルブ１５２及び排水バルブ１６１を制御せず、補給水Ｗ１２０の補給及び循環水Ｗ１１０の排水を前回に行ってから所定時間が経過するまで第２制御部１８４により待機させられる。
【００７４】
そして、第１判定部１８１により循環水Ｗ１１０が清浄でない（酸化還元電位が所定の閾値以下である）と判定された後、第２判定部１８３により循環水Ｗ１１０が濃縮している（電気伝導率が所定の閾値以上である）と判定される前に、補給水Ｗ１２０の補給及び循環水Ｗ１１０の排水を前回に行ってから所定時間が経過した場合には、第２制御部１８４は、第１制御部１８２による補給水ポンプ１４１、軟化水補給水バルブ１４４、原水補給水バルブ１５２、排水バルブ１６１等の制御の待機を解除する。
【００７５】
つまり、第１判定部１８１により循環水Ｗ１１０が清浄でない（酸化還元電位が所定の閾値以下である）と判定された後、第２判定部１８３により循環水Ｗ１１０が濃縮している（電気伝導率が所定の閾値以上である）と判定される前に、補給水Ｗ１２０の補給及び循環水Ｗ１１０の排水を前回に行ってから所定時間が経過した場合には、第１制御部１８２により、補給水ポンプ１４１、軟化水補給水バルブ１４４、原水補給水バルブ１５２、排水バルブ１６１等が制御される。
【００７６】
一方、第１判定部１８１により循環水Ｗ１１０が清浄でない（酸化還元電位が所定の閾値以下である）と判定された後、補給水Ｗ１２０の補給及び循環水Ｗ１１０の排水を前回に行ってから所定時間が経過するまでに第２判定部１８３により循環水Ｗ１１０が濃縮している（電気伝導率が所定の閾値以上である）と判定された場合には、第２制御部１８４は、後述の第１判定テーブル１８５又は第２判定テーブル１８６に基づいて、補給水ポンプ１４１、軟化水補給水バルブ１４４、原水補給水バルブ１５２及び排水バルブ１６１を制御する。詳細には、第２制御部１８４は、メモリ１０３に格納された第１判定テーブル１８５及び第２判定テーブル１８６のうち、補給水Ｗ１２０の補給水量及び循環水Ｗ１１０の排水量の多い方を選択し、選択した判定テーブルに基づいて各機器の制御を行う。
【００７７】
メモリ１０３は、第１判定テーブル１８５と、第２判定テーブル１８６と、を有する。
第１判定テーブル１８５には、酸化還元電位測定装置１３４により測定された循環水Ｗ１１０の酸化還元電位に基づいて各機器を制御する第１制御部１８２の制御内容が記憶されている。
【００７８】
例えば、酸化還元電位の適正範囲が５０〜４００ｍＶであるときにおける閾値（下限値）を５０ｍＶと設定している場合に、４０ｍＶの酸化還元電位が測定されたときには、第１制御部１８２は、補給水Ｗ１２０を７０Ｌ（例えば、循環水系の保有水量の５０％）補給させ、循環水Ｗ１１０を７０Ｌ（例えば、循環水系の保有水量の５０％）排出させる。また、３０ｍＶの酸化還元電位が測定されたときには、第１制御部１８２は、補給水Ｗ１２０を１００Ｌ（例えば、循環水系の保有水量の７１％）補給させ、循環水Ｗ１１０を１００Ｌ（例えば、循環水系の保有水量の７１％）排出させる。
【００７９】
つまり、第１制御部１８２は、酸化還元電位が閾値よりも大きく下回る程、補給水Ｗ１２０の補給水量及び循環水Ｗ１１０の排水量を多くする。上述の酸化還元電位測定装置１３４により測定された循環水Ｗ１１０の酸化還元電位に基づく補給水Ｗ１２０（原水補給水Ｗ１２１及び／又は軟化水補給水Ｗ１２２）の補給水量及び循環水Ｗ１１０の排水量は、予め補給水Ｗ１２０の酸化還元電位を測定しておき（図示せず）、その補給水Ｗ１２０の酸化還元電位と循環水系の保有水量とから、循環水Ｗ１１０の酸化還元電位が所定の閾値よりも高い値になるように設定しておく。
【００８０】
第１判定テーブル１８５には、このような循環水Ｗ１１０の酸化還元電位に基づく補給水Ｗ１２０（原水補給水Ｗ１２１及び／又は軟化水補給水Ｗ１２２）の補給水量及び循環水Ｗ１１０の排水量に係る制御内容が記憶されている。
【００８１】
第２判定テーブル１８６には、電気伝導率測定装置１３３により測定される循環水Ｗ１１０の電気伝導率に基づいて各機器を制御する第２制御部１８４の制御内容が記憶されている。
【００８２】
例えば、電気伝導率の閾値（上限値）を４００ｍＳ／ｍと設定している場合に、４２０ｍＳ／ｍの電気伝導率が測定されたときには、第２制御部１８４は、補給水Ｗ１２０を５０Ｌ（例えば、循環水系の保有水量の３６％）補給させ、循環水Ｗ１１０を５０Ｌ（例えば、循環水系の保有水量の３６％）排出させる。また、４５０ｍＳ／ｍの電気伝導率が測定されたときには、第２制御部１８４は、補給水Ｗ１２０を９０Ｌ（例えば、循環水系の保有水量の６４％）補給させ、循環水Ｗ１１０を９０Ｌ（例えば、循環水系の保有水量の６４％）排出させる。
【００８３】
つまり、第２制御部１８４は、電気伝導率が閾値よりも大きく上回る程、補給水Ｗ１２０の補給水量及び循環水Ｗ１１０の排水量を多くする。上述の電気伝導率測定装置１３３により測定された循環水Ｗ１１０の電気伝導率に基づく補給水Ｗ１２０（原水補給水Ｗ１２１及び／又は軟化水補給水Ｗ１２２）の補給水量及び循環水Ｗ１１０の排水量は、予め補給水Ｗ１２０の電気伝導率を測定しておき（図示せず）、その補給水Ｗ１２０の電気伝導率と循環水系の保有水量とから、循環水Ｗ１１０の電気伝導率が所定の閾値よりも低い値になるように設定しておく。
【００８４】
第２判定テーブル１８６には、このような循環水Ｗ１１０の電気伝導率に基づく補給水Ｗ１２０の補給水量（原水補給水Ｗ１２１及び／又は軟化水補給水Ｗ１２２）及び循環水Ｗ１１０の排水量に係る制御内容が記憶されている。
【００８５】
次に、図１及び図２を参照して、第１実施形態の水処理システム１００の動作について説明する。
循環水ポンプ１３２が作動することにより、冷却塔１１０の貯留部１１６に貯留される循環水Ｗ１１０は、循環水ラインＬ１１０（循環水供給ラインＬ１１１、循環水回収ラインＬ１１２）の上流側から下流側へ向けて送り出される。
【００８６】
詳細には、循環水Ｗ１１０は、循環水供給ラインＬ１１１を介して、被冷却装置１３１に供給される。循環水Ｗ１１０は、被冷却装置１３１の循環水導入部１３１ａから前記循環水流路を通過して被冷却装置１３１を冷却し、循環水排出部１３１ｂから循環水回収ラインＬ１１２へ排出される。
【００８７】
循環水回収ラインＬ１１２へ排出された循環水Ｗ１１０は、散水部１１２の上部水槽１１３へ導入される。上部水槽１１３へ導入された循環水Ｗ１１０は、散水口１１４から塔本体１１１の内部へ散布される。散布された循環水Ｗ１１０は、図１に点線で示すように、塔本体１１１の内部を落下して、貯留部１１６に受け止められる。このようにして、貯留部１１６に貯留される循環水Ｗ１１０は、循環水ラインＬ１１０、散水部１１２等を介して循環する。
【００８８】
また、冷却塔１１０において、システム制御装置１０１によりファン駆動部１２２を作動させ、ファン１２０を回転させる。これにより、ルーバ１１８を通じて塔本体１１１の内部へ外気（エア）Ｅ１が流入する。エアＥ１は、塔本体１１１の内部を通過し、排気Ｅ２として上部開口部１２１から塔本体１１１の外部へ排出される。
【００８９】
塔本体１１１の内部を落下する循環水Ｗ１１０は、塔本体１１１の内部へ流入する外気Ｅ１に触れて冷却される。このように冷却されて貯留部１１６へ戻る（落下する）循環水Ｗ１１０は、循環水供給ラインＬ１１１を介して再び被冷却装置１３１へ供給され、循環水回収ラインＬ１１２を介して冷却塔１１０の散水部１１２へ戻る。従って、貯留部１１６に貯留された循環水Ｗ１１０は、循環水供給ラインＬ１１１、被冷却装置１３１の循環水流路及び循環水回収ラインＬ１１２を循環して、被冷却装置１３１を冷却する冷却水として機能する。
【００９０】
ここで、循環水Ｗ１１０の濃縮が進んでいる場合には、循環水Ｗ１１０の濃縮を解消し、スライム等の発生及び腐食等を抑制するために、冷却塔１１０の貯留部１１６へ補給水Ｗ１２０（原水補給水Ｗ１２１及び／又は軟化水補給水Ｗ１２２）の補給を行うと共に、循環水Ｗ１１０の排出を行う。
【００９１】
具体的には、循環水Ｗ１１０の清浄度が悪化すると、栄養源等が高濃度に含まれるようになる。そのため、循環水Ｗ１１０の水質が悪化し、スライム等が発生する。これにより、酸化還元電位が低くなる。そこで、水処理システム１００においては、酸化還元電位測定装置１３４により測定される酸化還元電位が所定の閾値よりも低くなった場合には、第１判定部１８１は、循環水Ｗ１１０が清浄でないと判定する。
【００９２】
そして、循環水Ｗ１１０の清浄度を向上させるため（循環水Ｗ１１０の酸化還元電位を上昇させるため）に、第１制御部１８２は、第１判定テーブル１８５に基づいて、原水補給水バルブ１５２及び／又は軟化水補給水バルブ１４４を開く。そして、補給水ポンプ１４１を起動させて補給水Ｗ１２０の補給水量を制御する。詳細には、第１制御部１８２は、補給水ポンプ１４１を制御して、所定量の補給水Ｗ１２０を補給させる。なお、ここでは、補助原水補給水バルブ１５１は、常時開放しているものとする。
【００９３】
また、補給水ポンプ１４１の起動とほぼ同時に、第１制御部１８２は、排水バルブ１６１を制御して、貯留部１１６に貯留される循環水Ｗ１１０の排水量を制御する。詳細には、排水バルブ１６１を開き、所定量の循環水Ｗ１１０を排水Ｗ１３０として系外に排出させる。これにより、貯留部１１６に貯留される循環水Ｗ１１０が希釈され、循環水Ｗ１１０が清浄となる。
【００９４】
同様に、循環水Ｗ１１０の濃縮度が高まると、腐食性イオンやスケール発生因子等の濃度が高くなる。これにより、循環水Ｗ１１０の電気伝導率が高くなる。そこで、水処理システム１００においては、電気伝導率測定装置１３３により測定される電気伝導率が所定の閾値よりも高くなった場合には、第２判定部１８３は、循環水Ｗ１１０が濃縮していると判定する。
【００９５】
そして、循環水Ｗ１１０の濃縮度を低下させるため（電気伝導率を低下させるため）に、第２制御部１８４は、第２判定テーブル１８６に基づいて、原水補給水バルブ１５２及び／又は軟化水補給水バルブ１４４を開く。そして、第２制御部１８４は、補給水ポンプ１４１を起動させて、補給水Ｗ１２０の補給水量を制御する。詳細には、第２制御部１８４は、補給水ポンプ１４１を制御して、所定量の補給水Ｗ１２０（原水補給水Ｗ１２１及び／又は軟化水補給水Ｗ１２２）を補給させる。
【００９６】
また、補給水ポンプ１４１の起動とほぼ同時に、第２制御部１８４は、排水バルブ１６１を制御して、貯留部１１６に貯留される循環水Ｗ１１０の排水量を制御する。詳細には、第２制御部１８４は、排水バルブ１６１を開き、所定量の循環水Ｗ１１０を排水Ｗ１３０として系外に排出させる。これにより、貯留部１１６に貯留される循環水Ｗ１１０が希釈され、循環水Ｗ１１０の濃縮が解消される。
【００９７】
このように、水処理システム１００は、循環水Ｗ１１０の電気伝導率及び循環水Ｗ１１０の酸化還元電位に基づいて、補給水Ｗ１２０の補給及び循環水Ｗ１１０の排出を行うことにより循環水Ｗ１１０の清浄度及び濃縮度を管理する。
【００９８】
更に、水処理システム１００においては、補給水Ｗ１２０の補給量を抑制させるために、第１判定部１８１により循環水Ｗ１１０が清浄でない（酸化還元電位が所定の閾値以下）と判定された場合においては、第１制御部１８２は、補給水ポンプ１４１、軟化水補給水バルブ１４４、原水補給水バルブ１５２及び排水バルブ１６１を直ちに制御せず、第２制御部１８４により所定時間待機させられる。
【００９９】
そして、第１判定部１８１により循環水Ｗ１１０が清浄でない（酸化還元電位が所定の閾値以下）と判定された後、第２判定部１８３により循環水Ｗ１１０が濃縮している（電気伝導率が所定の閾値以上である）と判定される前に、補給水Ｗ１２０の補給及び循環水Ｗ１１０の排水を前回に行ってから所定時間が経過した場合には、第１制御部１８２は、補給水ポンプ１４１、軟化水補給水バルブ１４４、原水補給水バルブ１５２、排水バルブ１６１等を制御する。
【０１００】
一方、第１判定部１８１により循環水Ｗ１１０が清浄でない（酸化還元電位が所定の閾値以下である）と判定された後、第２判定部１８３により循環水Ｗ１１０が濃縮している（電気伝導率が所定の閾値以上である）と判定される前に、補給水Ｗ１２０の補給及び循環水Ｗ１１０の排水を前回に行ってから所定時間が経過した場合には、第２制御部１８４は、メモリ１０３に格納された第１判定テーブル１８５又は第２判定テーブル１８６に基づいて、補給水ポンプ１４１、軟化水補給水バルブ１４４、原水補給水バルブ１５２及び排水バルブ１６１を制御する。詳細には、第２制御部１８４は、メモリ１０３に格納された第１判定テーブル１８５及び第２判定テーブル１８６のうち、補給水Ｗ１２０の補給水量及び循環水Ｗ１１０の排水量の多い方を選択し、選択した判定テーブルに基づいて各機器の制御を行う。
【０１０１】
このように、水処理システム１００は、第１判定部１８１により循環水Ｗ１１０が清浄でない（酸化還元電位が所定の閾値以下）と判定された後、第１制御部１８２は、直ちに各機器を制御させず、第２制御部１８４により待機させられる。そして、第２判定部１８３により循環水Ｗ１１０が濃縮していると判定される前に補給水Ｗ１２０の補給及び循環水Ｗ１１０の排水を前回に行ってから所定時間が経過したときは、第２制御部１８４は、第１制御部１８２における上述の待機を解除する。
【０１０２】
次に、第１実施形態に係る水処理システム１００の動作の実施例について、図３及び図４を参照しながら説明する。図３及び図４は、第１実施形態に係る水処理システム１００の動作を示すフローチャートである。
【０１０３】
実施例では、循環水Ｗ１１０が循環しながら冷却塔１１０の内部で冷却される状態において、循環水Ｗ１１０の清浄度（酸化還元電位）及び濃縮度（電気伝導率）に基づく補給水Ｗ１２０の補給及び循環水Ｗ１１０の排出についてのフローについて説明する。なお、本実施例においては、補給水Ｗ１２０として、原水補給水Ｗ１２１を補給する。
【０１０４】
図３に示すように、ステップＳＴ１０１において、酸化還元電位測定装置１３４は、循環水Ｗ１１０の酸化還元電位を測定する。酸化還元電位測定装置１３４により測定された循環水Ｗ１１０の酸化還元電位は、酸化還元電位情報として、システム制御装置１０１の制御部１０２における第１判定部１８１に入力される。
【０１０５】
ステップＳＴ１０２において、第１判定部１８１は、入力された循環水Ｗ１１０の酸化還元電位情報に基づいて、循環水Ｗ１１０の酸化還元電位が所定の閾値よりも低いか否かについて判定する。酸化還元電位が所定の閾値よりも低い（ＹＥＳ）場合には、循環水Ｗ１１０の酸化還元電位は、スライムの発生の抑制及び腐食の抑制を確保できる酸化還元電位を有していない。そのため、循環水Ｗ１１０の酸化還元電位が所定の閾値よりも低い（ＹＥＳ）場合には、第１判定部１８１により循環水Ｗ１１０が清浄でないと判定され、ステップＳＴ１０３へ進む。一方、循環水Ｗ１１０の酸化還元電位が所定の閾値よりも高い（ＮＯ）場合には、第１判定部１８１により循環水Ｗ１１０が清浄であると判定され、ステップＳＴ１１２へ進む。
【０１０６】
ステップＳＴ１０３において、電気伝導率測定装置１３３は、循環水Ｗ１１０の電気伝導率を測定する。電気伝導率測定装置１３３により測定された循環水Ｗ１１０の電気伝導率は、電気伝導率情報として、システム制御装置１０１の制御部１０２における第２判定部１８３に入力される。
【０１０７】
ステップＳＴ１０４において、第２判定部１８３は、入力された循環水Ｗ１１０の電気伝導率情報に基づいて、循環水Ｗ１１０の電気伝導率が所定の閾値よりも高いか否かについて判定する。電気伝導率が所定の閾値よりも高い（ＹＥＳ）場合には、循環水Ｗ１１０の電気伝導度は、スライム、スケール等の発生の抑制を確保できる電気伝導度を有していない。そのため、循環水Ｗ１１０の電気伝導度が所定の閾値よりも高い（ＹＥＳ）場合には、第２判定部１８３により循環水Ｗ１１０が濃縮していると判定され、ステップＳＴ１０５へ進む。一方、循環水Ｗ１１０の電気伝導度が所定の閾値よりも低い（ＮＯ）場合には、第２判定部１８３により循環水Ｗ１１０が濃縮していないと判定され、ステップＳＴ１０９へ進む。
【０１０８】
ステップＳＴ１０５において、第２制御部１８４は、システム制御装置１０１のメモリ１０３に格納された第２判定テーブル１８６を参照する。第２判定テーブル１８６には、循環水Ｗ１１０の電気伝導率に基づいて各機器を制御する制御内容が記憶されている。詳細には、電気伝導率に基づく補給水Ｗ１２０の補給水量及び循環水Ｗ１１０の排水量と、補給及び排出を行うために制御される各機器の動作とが記憶されている。
【０１０９】
次に、ステップＳＴ１０６において、第２制御部１８４は、システム制御装置１０１のメモリ１０３に格納された第１判定テーブル１８５を参照する。第１判定テーブル１８５には、循環水Ｗ１１０の酸化還元電位に基づいて各機器を制御する制御内容が記憶されている。詳細には、酸化還元電位に基づく原水補給水Ｗ１２１の補給水量及び循環水Ｗ１１０の排水量と、補給及び排出を行うために制御される各機器の動作とが記憶されている。
【０１１０】
ステップＳＴ１０７において、第２制御部１８４は、第１判定テーブル１８５及び第２判定テーブル１８６を参照した後、酸化還元電位測定装置１３４により測定された酸化還元電位に基づく原水補給水Ｗ１２１の補給水量及び循環水Ｗ１１０の排水量と、電気伝導率測定装置１３３により測定された電気伝導率に基づく原水補給水Ｗ１２１の補給水量及び循環水Ｗ１１０の排水量と、を比較し、原水補給水Ｗ１２１の補給水量及び循環水Ｗ１１０の排水量を決定する。
【０１１１】
原水補給水Ｗ１２１の補給水量及び循環水Ｗ１１０の排水量は、酸化還元電位測定装置１３４により測定された酸化還元電位に基づく原水補給水Ｗ１２１の補給水量及び循環水Ｗ１１０の排水量、又は、電気伝導率測定装置１３３により測定された電気伝導率に基づく原水補給水Ｗ１２１の補給水量及び循環水Ｗ１１０の排水量のいずれか一方が選択される。詳細には、第２制御部１８４は、メモリ１０３に格納された第１判定テーブル１８５及び第２判定テーブル１８６のうち、原水補給水Ｗ１２１の補給水量及び循環水Ｗ１１０の排水量の多い方を選択する。
【０１１２】
ステップＳＴ１０８において、原水補給水Ｗ１２１の補給水量及び循環水Ｗ１１０の排水量が決定すると、第２制御部１８４は、決定した原水補給水Ｗ１２１の補給水量及び循環水Ｗ１１０の排水量に基づいて、各機器の制御を行う。
【０１１３】
例えば、酸化還元電位測定装置１３４により測定された酸化還元電位に基づく原水補給水Ｗ１２１の補給水量が７０Ｌの補給及び循環水Ｗ１１０の排水量が７０Ｌの排出（第１判定テーブル１８５）であり、電気伝導率測定装置１３３により測定された電気伝導率に基づく原水補給水Ｗ１２１の補給水量が５０Ｌの補給及び循環水Ｗ１１０の排水量が５０Ｌの排出（第２判定テーブル１８６）であった場合、補給水量及び排水量が多い酸化還元電位に基づく原水補給水Ｗ１２１の補給及び循環水Ｗ１１０の排出（第１判定テーブル１８５）が行われる。
【０１１４】
具体的には、第２制御部１８４は、軟化水補給水バルブ１４４を閉じると共に、原水補給水Ｗ１２１の流通を開始するように原水補給水バルブ１５２を開く。そして、第２制御部１８４は、補給水ポンプ１４１を４分間起動して、原水補給水Ｗ１２１を７０Ｌ補給させる。同時に、第２制御部１８４は、排水バルブ１６１を４分間開き、循環水Ｗ１１０を７０Ｌ排出させる。
【０１１５】
原水補給水Ｗ１２１の補給及び循環水Ｗ１１０の排出が終了すると、ステップＳＴ１０１に戻る。
【０１１６】
一方、ステップＳＴ１０４において、電気伝導率が所定の閾値よりも低い（ＮＯ）場合には、循環水Ｗ１１０の電気伝導度は、スライム、スケール等の発生の抑制を確保できる電気伝導率を有している。そのため、循環水Ｗ１１０の電気伝導度が所定の閾値よりも低い（ＮＯ）場合には、第２判定部１８３により循環水Ｗ１１０は濃縮していないと判定され、ステップＳＴ１０９へ進む。
【０１１７】
ステップＳＴ１０９において、第２制御部１８４は、循環水Ｗ１１０の酸化還元電位が所定の閾値よりも低いと判定されてから、循環水Ｗ１１０の電気伝導率が所定の閾値よりも低いと判定されるまでに所定の時間が経過しているか否かを判定する。そして、循環水Ｗ１１０の酸化還元電位が所定の閾値よりも低いと判定されてから、循環水Ｗ１１０の電気伝導率が所定の閾値よりも低いと判定される前に、補給水Ｗ１２０の補給及び循環水Ｗ１１０の排水を前回に行ってから所定時間（例えば、１時間）が経過していない（ＮＯ）場合には、ステップＳＴ１０３に戻る。
【０１１８】
一方、ステップＳＴ１０９において、循環水Ｗ１１０の酸化還元電位が所定の閾値よりも低いと判定されてから、循環水Ｗ１１０の電気伝導率が所定の閾値よりも低いと判定される前に、補給水Ｗ１２０の補給及び循環水Ｗ１１０の排水を前回に行ってから所定時間が経過している（ＹＥＳ）場合には、ステップＳＴ１１０に進む。
【０１１９】
ステップＳＴ１１０において、第１制御部１８２は、システム制御装置１０１のメモリ１０３に格納された第１判定テーブル１８５を参照する。第１判定テーブル１８５には、循環水Ｗ１１０の酸化還元電位に基づいて各機器を制御する制御内容が記憶されている。詳細には、酸化還元電位に基づく原水補給水Ｗ１２１の補給水量及び循環水Ｗ１１０の排水量と、補給及び排出を行うために制御される各機器の動作とが記憶されている。
【０１２０】
ステップＳＴ１１１において、第１制御部１８２は、第１判定テーブル１８５に格納された原水補給水Ｗ１２１の補給水量及び循環水Ｗ１１０の排水量に基づいて、各機器の制御を行う。
例えば、酸化還元電位測定装置１３４により測定された酸化還元電位に基づく原水補給水Ｗ１２１の補給水量が７０Ｌの補給及び循環水Ｗ１１０の排水量が７０Ｌの排出であった場合、第１制御部１８２は、軟化水補給水バルブ１４４を閉じると共に、原水補給水Ｗ１２１の流通を開始するように原水補給水バルブ１５２を開く。そして、第１制御部１８２は、補給水ポンプ１４１を４分間起動して、原水補給水Ｗ１２１を７０Ｌ補給させる。同時に、第１制御部１８２は、排水バルブ１６１を４分間開き、排水Ｗ１３０を７０Ｌ排出させる。
【０１２１】
原水補給水Ｗ１２１の補給及び循環水Ｗ１１０の排出が終了すると、ステップＳＴ１０１に戻る。
【０１２２】
また、ステップＳＴ１０２において酸化還元電位が所定の閾値よりも高い（ＮＯ）場合には、循環水Ｗ１１０の酸化還元電位は、スライムの発生の抑制及び腐食の抑制を確保できる酸化還元電位を有している。そのため、循環水Ｗ１１０の酸化還元電位が所定の閾値よりも高い（ＮＯ）場合には、第１判定部１８１により循環水Ｗ１１０が清浄であると判定され、ステップＳＴ１１２へ進む。
【０１２３】
ステップＳＴ１１２において、電気伝導率測定装置１３３は、循環水Ｗ１１０の電気伝導率を測定する。電気伝導率測定装置１３３により測定された循環水Ｗ１１０の電気伝導率は、電気伝導率情報として、システム制御装置１０１の制御部１０２における第２判定部１８３に入力される。
【０１２４】
ステップＳＴ１１３において、第２判定部１８３は、入力された循環水Ｗ１１０の電気伝導率情報に基づいて、循環水Ｗ１１０の電気伝導率が所定の閾値よりも高いか否かについて判定する。電気伝導率が所定の閾値よりも高い（ＹＥＳ）場合には、循環水Ｗ１１０の電気伝導度は、スライム、スケール等の発生の抑制を確保できる電気伝導度を有していない。そのため、循環水Ｗ１１０の電気伝導度が所定の閾値よりも高い（ＹＥＳ）場合には、第２判定部１８３により循環水Ｗ１１０が濃縮していると判定され、ステップＳＴ１１４へ進む。一方、電気伝導率が所定の閾値よりも低い（ＮＯ）場合には、第２判定部１８３により循環水Ｗ１１０が濃縮していないと判定され、ステップＳＴ１０１に戻る。
【０１２５】
ステップＳＴ１１４において、第２制御部１８４は、システム制御装置１０１のメモリ１０３に格納された第２判定テーブル１８６を参照する。第２判定テーブル１８６には、循環水Ｗ１１０の電気伝導率に基づいて各機器を制御する制御内容が記憶されている。詳細には、電気伝導率に基づく原水補給水Ｗ１２１の補給水量及び循環水Ｗ１１０の排水量と、補給及び排出を行うために制御される各機器の動作とが記憶されている。
【０１２６】
ステップＳＴ１１５において、第２制御部１８４は、第２判定テーブル１８６に格納された原水補給水Ｗ１２１の補給水量及び循環水Ｗ１１０の排水量に基づいて、各機器の制御を行う。
例えば、電気伝導率測定装置１３３により測定された電気伝導率に基づく原水補給水Ｗ１２１の補給水量が１００Ｌの補給及び循環水Ｗ１１０の排水量が１００Ｌの排出であった場合、第２制御部１８４は、軟化水補給水バルブ１４４を閉じると共に、原水補給水Ｗ１２１の流通を開始するように原水補給水バルブ１５２を開く。そして、第２制御部１８４は、補給水ポンプ１４１を５分間起動して、原水補給水Ｗ１２１を１００Ｌ補給させる。同時に、第２制御部１８４は、排水バルブ１６１を５分間開き、排水Ｗ１３０を１００Ｌ排出させる。
【０１２７】
原水補給水Ｗ１２１の補給及び循環水Ｗ１１０の排出が終了すると、ステップＳＴ１０１に戻る。
【０１２８】
同様に、ステップＳＴ１１３において、電気伝導率が所定の閾値よりも低い（ＮＯ）場合には、循環水Ｗ１１０の電気伝導度は、スライム、スケール等の発生の抑制を確保できる電気伝導度を有している。そのため、循環水Ｗ１１０の電気伝導度が所定の閾値よりも低い（ＮＯ）場合には、第２判定部１８３により循環水Ｗ１１０が濃縮していないと判定され、ステップＳＴ１０１へ戻る。
【０１２９】
以上のような構成を有する第１実施形態に係る水処理システム１００によれば、以下のような効果が奏される。
第１実施形態に係る水処理システム１００は、循環水Ｗ１１０の酸化還元電位を測定する酸化還元電位測定装置１３４と、酸化還元電位測定装置１３４により測定された循環水Ｗ１１０の酸化還元電位に基づいて、補給水Ｗ１２０（原水補給水Ｗ１２１及び／又は軟化水補給水Ｗ１２２）の補給及び循環水Ｗ１１０の排出の制御を行う第１制御部１８２と、を備える。
これにより、系内の残留塩素濃度を適正範囲内にすることが可能になり、スライム、スケール等の発生の抑制及び配管系等の腐食の抑制を一層確実に行うことができる。
【０１３０】
更に、第１実施形態に係る水処理システム１００は、電気伝導率を測定する電気伝導率測定装置１３３と、電気伝導率測定装置１３３により測定された循環水Ｗ１１０の電気伝導率に基づいて、補給水Ｗ１２０（原水補給水Ｗ１２１及び／又は軟化水補給水Ｗ１２２）の補給及び循環水Ｗ１１０の排出の制御を行う第２制御部１８４と、を備える。
そのため、腐食性イオンやスケール発生因子等の濃度を適正範囲にコントロールすることが可能になり、スライム、スケール等の発生の抑制を一層確実に行うことができる。
【０１３１】
また、第１実施形態に係る水処理システム１００は、第１判定部１８１により循環水Ｗ１１０が清浄でないと判定され、第２判定部１８３により循環水Ｗ１１０が濃縮していると判定された場合には、補給水Ｗ１２０（原水補給水Ｗ１２１及び／又は軟化水補給水Ｗ１２２）の補給水量及び循環水Ｗ１１０の排水量として、酸化還元電位測定装置１３４により測定された酸化還元電位に基づく補給水Ｗ１２０（原水補給水Ｗ１２１及び／又は軟化水補給水Ｗ１２２）の補給水量及び循環水Ｗ１１０の排水量、又は、電気伝導率測定装置１３３により測定された電気伝導率に基づく補給水Ｗ１２０（原水補給水Ｗ１２１及び／又は軟化水補給水Ｗ１２２）の補給水量及び循環水Ｗ１１０の排水量のうち、補給水量及び排水量が多い方が選択される。
【０１３２】
そのため、酸化還元電位測定装置１３４により測定された循環水Ｗ１１０の酸化還元電位、並びに電気伝導率測定装置１３３により測定された電気伝導率ごとに補給水Ｗ１２０（原水補給水Ｗ１２１及び／又は軟化水補給水Ｗ１２２）の補給及び循環水Ｗ１１０の排出を行うことを防止することができる。これにより、過大に補給及び排出を行うことを防止することができる。
【０１３３】
また、第１実施形態に係る水処理システム１００は、第１判定部１８１により循環水Ｗ１１０が清浄でないと判定された場合に、第２判定部１８３により循環水Ｗ１１０が濃縮していると判定されるまで、所定時間が経過した場合を除き、補給水Ｗ１２０の補給の制御及び循環水Ｗ１１０の排出の制御を待機させる。このように待機させることにより、スライム、スケール等の発生の抑制及び配管系等の腐食の抑制を最大限に維持しながら、過大に補給及び排出を行うことを防止することができる。
【０１３４】
次に、本発明の他の実施形態について説明する。他の実施形態については、主として、第１実施形態とは異なる点を中心に説明し、第１実施形態と同様の構成については、同じ符号（ただし、３桁の数字のうち百の位を「１」から「２」に代えている）を付し、詳細な説明を省略する。他の実施形態において特に説明しない点は、第１実施形態についての説明が適宜適用又は援用される。
【０１３５】
＜第２実施形態＞
図５を参照して、本発明の第２実施形態の水処理システム２００の概略について説明する。図５は、本発明の第２実施形態の水処理システム２００を示す概略構成図である。
【０１３６】
第２実施形態の水処理システム２００は、第１実施形態の水処理システム１００に比して、冷却塔２１０が密閉式冷却塔からなる点が主として異なる。密閉式冷却塔は、開放式冷却塔に比して、冷却塔２１０に、被冷却装置２３１を冷却する循環液Ｗ２１０が密閉状態で流通する冷却塔内部ラインＬ２５０と、冷却塔内部ラインＬ２５０に位置する循環液Ｗ２１０を冷却するために散布水Ｗ２４０を冷却塔内部ラインＬ２５０の外側へ散布する散水部２１２と、散布された散布水Ｗ２４０を貯留する貯留部２１６とが設けられている点、及び、冷却塔２１０に、散水部２１２から散布され貯留部２１６に貯留された散布水Ｗ２４０を循環させる散布水ラインＬ２６０が接続されている点が、主として異なる。
【０１３７】
図５に示すように、第２実施形態の水処理システム２００は、冷却塔２１０を有しており、被冷却装置２３１を冷却するために、冷却液を循環させるシステムである。冷却液は、その節約を図る観点から、冷却塔２１０で冷却しながら循環して用いられる（循環する冷却液を以下「循環液Ｗ２１０」ともいう）。第２実施形態における冷却塔２１０は、いわゆる密閉式冷却塔からなる。
【０１３８】
第２実施形態の水処理システム２００は、散布水Ｗ２４０の貯留部２１６を有する冷却塔２１０と、被冷却装置２３１と、冷却塔２１０と被冷却装置２３１との間で循環液Ｗ２１０を循環させる循環液ラインＬ２１０と、散布水Ｗ２４０を循環させる散布水ラインＬ２６０と、冷却塔２１０の貯留部２１６に補給水Ｗ２２０を補給する補給水ラインＬ２２０と、冷却塔２１０の貯留部２１６から散布水Ｗ２４０を水処理システム２００の系外へ強制的に排出する排水ラインＬ２３０と、冷却塔２１０の貯留部２１６から溢れる散布水Ｗ２４０を排出するオーバーフローラインＬ２４０と、散布水Ｗ２４０の電気伝導率を測定する電気伝導率測定装置２３３と、散布水Ｗ２４０の酸化還元電位を測定する酸化還元電位測定装置２３４と、水処理システム２００の各部の制御を行うシステム制御装置２０１と、を主体として構成されている。
【０１３９】
冷却塔２１０は、循環液Ｗ２１０が密閉状態で流通する冷却塔内部ラインＬ２５０と、冷却塔内部ラインＬ２５０に位置する循環液Ｗ２１０を冷却するために散布水Ｗ２４０を冷却塔内部ラインＬ２５０の外側へ散布する散水部２１２と、散布された散布水Ｗ２４０を貯留する貯留部２１６とを有する。
【０１４０】
循環液ラインＬ２１０は、冷却塔内部ラインＬ２５０に位置する循環液Ｗ２１０を冷却塔２１０から被冷却装置２３１へ供給する循環液供給ラインＬ２１１と、循環液Ｗ２１０を被冷却装置２３１から冷却塔２１０の冷却塔内部ラインＬ２５０へ回収する循環液回収ラインＬ２１２と、を有する。循環液ラインＬ２１０は、循環液供給ラインＬ２１１、循環液回収ラインＬ２１２及び冷却塔内部ラインＬ２５０を介して、冷却塔２１０と被冷却装置２３１との間で循環液Ｗ２１０を循環させる。
【０１４１】
散布水ラインＬ２６０は、貯留部２１６に接続されると共に散水部２１２に接続されている。散布水ラインＬ２６０は、散水部２１２から散布され貯留部２１６に貯留された散布水Ｗ２４０を、冷却塔２１０の外部において循環させる。
「ライン」とは、流路、経路、管路などの流体の流通が可能なラインの総称である。
【０１４２】
第２実施形態における冷却塔２１０について説明する。冷却塔２１０は、被冷却装置２３１を冷却するための循環液Ｗ２１０を、被冷却装置２３１へ供給する前に、冷却するものである。循環液Ｗ２１０は、一般的には、水（水溶液）であるが、水以外の液体でもよい。
冷却塔２１０は、塔本体２１１と、冷却塔内部ラインＬ２５０と、散水部２１２と、貯留部２１６と、ルーバ２１８と、ファン２２０と、上部開口部２２１と、ファン駆動部２２２と、を備える。
【０１４３】
塔本体２１１は、冷却塔２１０の外郭を形成するものである。塔本体２１１の上部には、複数の散水部２１２、ファン２２０、上部開口部２２１及びファン駆動部２２２が設けられる。塔本体２１１の内部には、冷却塔内部ラインＬ２５０が設けられる。塔本体２１１の下部には、貯留部２１６が設けられる。塔本体２１１の側部には、ルーバ２１８が設けられる。
【０１４４】
散水部２１２は、被冷却装置２３１を冷却する循環液Ｗ２１０を冷却するために、散布水Ｗ２４０を、循環液Ｗ２１０が位置する（流通する）冷却塔内部ラインＬ２５０の外側に散布する部位である。散水部２１２は、散布水ラインＬ２６０を介して循環する散布水Ｗ２４０を、塔本体２１１の内部において冷却塔内部ラインＬ２５０の外側へ散布（散水）する。
【０１４５】
散水部２１２は、上部水槽２１３と、散水口２１４とを備える。上部水槽２１３には、散布水ラインＬ２６０が接続されている。上部水槽２１３は、散布水ラインＬ２６０を介して循環する散布水Ｗ２４０を貯留する。散水口２１４は、上部水槽２１３に貯留された散布水Ｗ２４０を散布するために上部水槽２１３の下側に形成されたノズルからなる。
【０１４６】
冷却塔内部ラインＬ２５０は、塔本体２１１の内部において、循環液Ｗ２１０が密閉状態で流通するラインである。冷却塔内部ラインＬ２５０は、塔本体２１１の内部において散布水Ｗ２４０との接触面積を確保するために蛇行している。詳細には、冷却塔内部ラインＬ２５０は、塔内部分岐部Ｊ２５１において、第１内部ラインＬ２５０ａと第２内部ラインＬ２５０ｂとに分岐する。第１内部ラインＬ２５０ａと第２内部ラインＬ２５０ｂとは、塔内部合流部Ｊ２５２において合流する。第１内部ラインＬ２５０ａ及び第２内部ラインＬ２５０ｂは蛇行している。第１内部ラインＬ２５０ａ及び第２内部ラインＬ２５０ｂは、それぞれ散水部２１２の下方に配置している。
冷却塔内部ラインＬ２５０の下流側の端部は、循環液供給ラインＬ２１１に接続されている。冷却塔内部ラインＬ２５０の上流側の端部は、循環液回収ラインＬ２１２に接続されている。
【０１４７】
塔本体２１１の内部における散水部２１２の下方には、充填材（図示せず）が設けられる。充填材は、散水部２１２から散布された散布水Ｗ２４０を滴状にして、散布水Ｗ２４０と外気Ｅ１（後述）との接触面積及び接触時間を長くして、冷却塔内部ラインＬ２５０及びその内部の循環液Ｗ２１０を効率的に冷却するために設けられる。
【０１４８】
貯留部２１６は、散水部２１２から散布された散布水Ｗ２４０を貯留する。貯留部２１６は、塔本体２１１の下部に設けられる。後述するように、貯留部２１６に貯留された散布水Ｗ２４０は、塔本体２１１の内部を落下する過程において冷却される。貯留部２１６の底部には、散布水ラインＬ２６０及び排水ラインＬ２３０が接続されている。貯留部２１６に貯留された散布水Ｗ２４０は、散布水ラインＬ２６０を介して塔本体２１１の外部において循環する。貯留部２１６に貯留された散布水Ｗ２４０は、排水ラインＬ２３０を介して水処理システム２００の系外へ排出される。
【０１４９】
ルーバ２１８は、塔本体２１１の内部へ外気（エア）Ｅ１を導入するための通気孔であり、塔本体２１１の外部と内部とを連通する。ルーバ２１８を介して、塔本体２１１の外部のエア（外気）Ｅ１は、塔本体２１１の内部へ流入することができる。
【０１５０】
上部開口部２２１は、塔本体２１１の上部に形成された開口部であり、塔本体２１１の内部に位置するエアＥ１を塔本体２１１の外部に排出するために設けられる。排出されたエアを「排気Ｅ２」ともいう。
【０１５１】
ファン２２０は、上部開口部２２１に配置されている。ファン２２０の回転軸２２０ａは、上下方向に延びるように配置されている。ファン２２０は、ルーバ２１８から塔本体２１１の内部へ外気（エア）Ｅ１を流入させると共に、塔本体２１１の内部に位置するエアＥ１を、上部開口部２２１を介して塔本体２１１の外部に排出させるように、気流を発生させる。
【０１５２】
ファン駆動部２２２は、モータ等からなり、ファン２２０を回転駆動する。ファン駆動部２２２は、ファン２２０の上方に配置されており、ファン２２０の回転軸２２０ａに連結されている。ファン駆動部２２２は、ファン２２０の回転駆動の開始又は停止、回転速度の調整（変速）などを行う。
【０１５３】
冷却塔２１０には、循環液ラインＬ２１０、散布水ラインＬ２６０及び排水ラインＬ２３０の他に、補給水ラインＬ２２０（原水補給水ラインＬ２２２、軟化水補給水ラインＬ２２３）及びオーバーフローラインＬ２４０が接続されている。これらの各ラインを介して、冷却塔２１０に対して、散布水Ｗ２４０が導入又は排出されると共に、補給水Ｗ２２０（原水補給水Ｗ２２１及び／又は軟化水補給水Ｗ２２２）が補給される。
【０１５４】
被冷却装置２３１は、所要の循環液流路（図示せず）を有している。この循環液流路は、循環液導入部２３１ａと循環液排出部２３１ｂとを有している。そして、循環液導入部２３１ａには、循環液供給ラインＬ２１１の下流側の端部が接続されている。循環液排出部２３１ｂには、循環液回収ラインＬ２１２の上流側の端部が接続されている。このように、循環液流路は、循環液供給ラインＬ２１１、循環液回収ラインＬ２１２及び冷却塔内部ラインＬ２５０と共に、冷却塔２１０の塔本体２１１と被冷却装置２３１との間で循環液Ｗ２１０を循環させるための循環経路を形成している。
【０１５５】
循環液供給ラインＬ２１１は、冷却塔２１０の冷却塔内部ラインＬ２５０と被冷却装置２３１とを接続する。循環液供給ラインＬ２１１は、冷却塔内部ラインＬ２５０に位置する循環液Ｗ２１０を被冷却装置２３１に供給することができる。
循環液供給ラインＬ２１１の途中には、循環液ポンプ２３２が接続されている。循環液ポンプ２３２は、循環液ラインＬ２１０（循環液供給ラインＬ２１１、循環液回収ラインＬ２１２）の上流側から下流側へ向けて、循環液Ｗ２１０を送り出すことができる。
【０１５６】
循環液回収ラインＬ２１２は、被冷却装置２３１と冷却塔２１０の冷却塔内部ラインＬ２５０とを接続する。循環液回収ラインＬ２１２は、被冷却装置２３１において熱交換により加温された循環液Ｗ２１０を、冷却塔２１０の冷却塔内部ラインＬ２５０へ回収することができる。
【０１５７】
散布水ラインＬ２６０は、貯留部２１６に貯留された散布水Ｗ２４０を冷却塔２１０から散布水ポンプ２３９へ供給する散布水供給ラインＬ２６１と、散布水Ｗ２４０を散布水ポンプ２３９から冷却塔２１０の散水部２１２へ回収する散布水回収ラインＬ２６２と、を有する。散布水ラインＬ２６０は、散布水供給ラインＬ２６１及び散布水回収ラインＬ２６２を介して、冷却塔２１０の外部において散布水Ｗ２４０を循環させる。
【０１５８】
散布水回収ラインＬ２６２の下流側は、散布水分岐部Ｊ２４１において複数のラインに分岐している。散布水ラインＬ２６０において、散布水分岐部Ｊ２４１よりも上流側のラインを「上流側散布水回収ラインＬ２６２ａ」ともいい、散布水分岐部Ｊ２４１よりも下流側の複数のラインを「下流側散布水回収ラインＬ２６２ｂ」ともいう。複数の下流側散布水回収ラインＬ２６２ｂの下流側の端部は、それぞれ複数の散水部２１２に接続されている。
【０１５９】
散布水ポンプ２３９は、散布水ラインＬ２６０の途中（散布水供給ラインＬ２６１と散布水回収ラインＬ２６２との間）に接続されている。散布水ポンプ２３９は、散布水ラインＬ２６０（散布水供給ラインＬ２６１、散布水回収ラインＬ２６２）の上流側から下流側へ向けて、散布水Ｗ２４０を送り出すことができる。
【０１６０】
電気伝導率測定装置２３３は、散布水Ｗ２４０の電気伝導率を測定する装置である。電気伝導率測定装置２３３は、散布水ラインＬ２６０に接続されている。詳細には、散布水供給ラインＬ２６１には、測定接続部Ｊ２４２が設けられている。電気伝導率測定装置２３３は、測定ラインＬ２６３を介して、測定接続部Ｊ２４２において散布水供給ラインＬ２６１に接続されている。
【０１６１】
酸化還元電位測定装置２３４は、散布水Ｗ２４０の酸化還元電位を測定する装置である。酸化還元電位測定装置２３４は、散布水ラインＬ２６０に接続されている。詳細には、散布水供給ラインＬ２６１には、測定接続部Ｊ２４２が設けられている。酸化還元電位測定装置２３４は、測定ラインＬ２６３を介して、測定接続部Ｊ２４２において散布水供給ラインＬ２６１に接続されている。
【０１６２】
第２実施形態における補給水ラインＬ２２０に関する構成は、第１実施形態における補給水ラインＬ１２０に関する構成（図１参照）と同様である。そのため、第１実施形態における補給水ラインＬ１２０に関する構成についての説明を援用して、第２実施形態における補給水ラインＬ２２０に関する構成についての説明を省略する。
【０１６３】
排水ラインＬ２３０は、貯留部２１６の底部に接続されており、下方に向けて延びている。排水ラインＬ２３０は、貯留部２１６に貯留された散布水Ｗ２４０を、排水Ｗ２３０として水処理システム２００の系外へ排出する。排水ラインＬ２３０の途中には、排水バルブ２６１が接続されている。排水ラインＬ２３０における排水バルブ２６１の下流側には、オーバーフローラインＬ２４０（後述）が、排水合流部Ｊ２３１を介して接続されている。排水バルブ２６１は、制御弁から構成されている。排水バルブ２６１は、貯留部２１６と排水合流部Ｊ２３１との間において、排水ラインＬ２３０を開閉することができる。
【０１６４】
オーバーフローラインＬ２４０は、貯留部２１６から溢れる散布水Ｗ２４０を、排水Ｗ２３０として水処理システム２００の系外へ排出するラインである。オーバーフローラインＬ２４０の上流側の端部２６２は、冷却塔２１０の貯留部２１６から上方に離間した位置に位置する。オーバーフローラインＬ２４０は、排水合流部Ｊ２３１において排水ラインＬ２３０と接続（合流）する。
【０１６５】
貯留部２１６から溢れる散布水Ｗ２４０は、オーバーフローラインＬ２４０の上流側の端部２６２からオーバーフローラインＬ２４０へ流入する。オーバーフローラインＬ２４０へ流入した散布水Ｗ２４０は、排水合流部Ｊ２３１を介して排水ラインＬ２３０へ流入し、水処理システム２００の系外へ排出される。
本実施形態においては、排水バルブ２６１から、「排水ラインＬ２３０を介して貯留部２１６に貯留された散布水Ｗ２４０を系外へ向けて流通させる排水流通手段」が構成されている。
【０１６６】
次に、図６を参照して、第２実施形態の水処理システム２００の制御に係る機能について説明する。図６は、第２実施形態の水処理システム２００の制御に係る機能ブロック図である。
システム制御装置２０１は、第２実施形態の水処理システム２００における各部を制御する。図６に示すように、システム制御装置２０１は、例えば、補給水ポンプ２４１、軟化水補給水バルブ２４４、原水補給水バルブ２５２、排水バルブ２６１、ファン駆動部２２２に電気的に接続される。
【０１６７】
また、システム制御装置２０１は、水処理システム２００における各測定装置に電気的に接続され、各測定装置から測定情報を受信する。例えば、システム制御装置２０１は、電気伝導率測定装置２３３に電気的に接続され、電気伝導率測定装置２３３により測定された電気伝導率情報を受信する。また、システム制御装置２０１は、酸化還元電位測定装置２３４に電気的に接続され、酸化還元電位測定装置２３４により測定された酸化還元電位情報を受信する。
【０１６８】
システム制御装置２０１は、制御部２０２と、メモリ２０３と、を備える。
制御部２０２は、第１判定手段としての第１判定部２８１と、第１制御手段としての第１制御部２８２と、第２判定手段としての第２判定部２８３と、第２制御手段としての第２制御部２８４と、を有する。
メモリ２０３は、第１判定テーブル２８５と、第２判定テーブル２８６と、を有する。
【０１６９】
第２実施形態におけるシステム制御装置２０１の構成及び動作は、第１実施形態におけるシステム制御装置１０１の構成及び動作と同様である。ただし、第１実施形態では、循環水Ｗ１１０の酸化還元電位又は電気伝導率に基づいて補給水Ｗ１２０の補給（流通）及び循環水Ｗ１１０の排出の制御を行うのに対して、第２実施形態では、散布水Ｗ２４０の酸化還元電位又は電気伝導率に基づいて補給水Ｗ２２０の補給（流通）及び散布水Ｗ２４０の排出の制御を行う点が、両実施形態で異なる。この点を勘案した上で、第１実施形態におけるシステム制御装置１０１の構成及び動作についての説明を援用し、第２実施形態におけるシステム制御装置２０１の構成及び動作についての説明を省略する。
【０１７０】
次に、図５及び図６を参照して、第２実施形態の水処理システム２００の動作について説明する。
循環液ポンプ２３２が作動することにより、冷却塔２１０の冷却塔内部ラインＬ２５０に位置する循環液Ｗ２１０は、循環液ラインＬ２１０（循環液供給ラインＬ２１１、循環液回収ラインＬ２１２）の上流側から下流側へ向けて送り出される。
【０１７１】
詳細には、循環液Ｗ２１０は、循環液供給ラインＬ２１１を介して、被冷却装置２３１に供給される。循環液Ｗ２１０は、被冷却装置２３１の循環液導入部２３１ａから前記循環液流路を通過して被冷却装置２３１を冷却し、循環液排出部２３１ｂから循環液回収ラインＬ２１２へ排出される。循環液回収ラインＬ２１２へ排出された循環液Ｗ２１０は、冷却塔２１０の冷却塔内部ラインＬ２５０へ導入される。このようにして、循環液Ｗ２１０は、循環液ラインＬ２１０、冷却塔内部ラインＬ２５０等を介して循環する。
【０１７２】
また、散布水ポンプ２３９が作動することにより、冷却塔２１０の貯留部２１６に貯留される散布水Ｗ２４０は、散布水ラインＬ２６０（散布水供給ラインＬ２６１、散布水回収ラインＬ２６２）の上流側から下流側へ向けて送り出される。
【０１７３】
散布水ラインＬ２６０へ送り出された散布水Ｗ２４０は、散水部２１２の上部水槽２１３へ導入される。上部水槽２１３へ導入された散布水Ｗ２４０は、散水口２１４から塔本体２１１の内部において冷却塔内部ラインＬ２５０の外側へ散布される。散布された散布水Ｗ２４０は、図５に点線で示すように、塔本体２１１の内部を落下して、貯留部２１６に受け止められる。このようにして、貯留部２１６に貯留される散布水Ｗ２４０は、散布水ラインＬ２６０、散水部２１２等を介して循環する。
【０１７４】
また、冷却塔２１０において、システム制御装置２０１によりファン駆動部２２２を作動させ、ファン２２０を回転させる。これにより、ルーバ２１８を通じて塔本体２１１の内部へ外気（エア）Ｅ１が流入する。エアＥ１は、塔本体２１１の内部を通過し、排気Ｅ２として上部開口部２２１から塔本体２１１の外部へ排出される。
【０１７５】
塔本体２１１の内部を落下する散布水Ｗ２４０は、塔本体２１１の内部へ流入する外気Ｅ１に触れて冷却される。このように冷却されて貯留部２１６へ戻る（落下する）散布水Ｗ２４０は、散布水ラインＬ２６０を介して再び冷却塔２１０の散水部２１２へ戻る。従って、貯留部２１６に貯留された散布水Ｗ２４０は、散布水ラインＬ２６０を循環して、冷却塔内部ラインＬ２５０及びその内部の循環液Ｗ２１０を冷却する冷却水として機能する。
【０１７６】
第２実施形態における補給水Ｗ２２０の補給（流通）及び散布水Ｗ２４０の排出の制御に係る構成及び動作は、第１実施形態における補給水Ｗ１２０の補給（流通）及び循環水Ｗ１１０の排出の制御に係る構成（図２参照）及び動作（制御フロー、図３及び図４参照）と同様である。
【０１７７】
ただし、第１実施形態では、循環水Ｗ１１０の電気伝導率及び酸化還元電位に基づいて補給水Ｗ１２０の補給（流通）及び循環水Ｗ１１０の排出の制御を行うのに対して、第２実施形態では、散布水Ｗ２４０の電気伝導率及び酸化還元電位に基づいて補給水Ｗ２２０の補給（流通）及び散布水Ｗ２４０の排出の制御を行う点が、両実施形態で異なる。この点を勘案した上で、第１実施形態における補給水Ｗ１２０の補給（流通）及び循環水Ｗ１１０の排出の制御に係る構成及び動作についての説明を援用し、第２実施形態における補給水Ｗ２２０の補給（流通）及び散布水Ｗ２４０の排出の制御に係る構成及び動作についての説明を省略する。
【０１７８】
次に、第２実施形態の水処理システム２００の動作の実施例について説明する。
実施例では、散布水Ｗ２４０が循環しながら冷却塔２１０の内部で冷却される状態において、散布水Ｗ２４０の清浄度（酸化還元電位）及び濃縮度（電気伝導率）に基づく補給水Ｗ２２０の補給及び散布水Ｗ２４０の排出についてのフローについて説明する。なお、実施例においては、補給水Ｗ２２０として、原水補給水Ｗ２２１を補給する。
【０１７９】
第２実施形態における原水補給水Ｗ２２１の補給及び散布水Ｗ２４０の排出の制御に係る動作（実施例）は、第１実施形態における原水補給水Ｗ１２１の補給及び循環水Ｗ１１０の排出の制御に係る動作（実施例：制御フロー、図３及び図４参照）と同様である。
【０１８０】
ただし、第１実施形態では、循環水Ｗ１１０の電気伝導率及び酸化還元電位に基づいて原水補給水Ｗ１２１の補給及び循環水Ｗ１１０の排出の制御を行うのに対して、第２実施形態では、散布水Ｗ２４０の電気伝導率及び酸化還元電位に基づいて原水補給水Ｗ２２１の補給及び散布水Ｗ２４０の排出の制御を行う点が、両実施形態で異なる。この点を勘案した上で、第１実施形態における原水補給水Ｗ１２１の補給及び循環水Ｗ１１０の排出の制御に係る動作（実施例）についての説明を援用し、第２実施形態における原水補給水Ｗ２２１の補給及び散布水Ｗ２４０の排出の制御に係る動作（実施例）についての説明を省略する。
【０１８１】
以上のような構成を有する第２実施形態に係る水処理システム２００によれば、以下のような効果を奏する。
第２実施形態に係る水処理システム２００は、散布水Ｗ２４０の酸化還元電位を測定する酸化還元電位測定装置２３４と、酸化還元電位測定装置２３４により測定された散布水Ｗ２４０の酸化還元電位に基づいて、補給水Ｗ２２０の補給及び散布水Ｗ２４０の排水の制御を行う第１制御部２８２と、を備える。
これにより、系内の残留塩素濃度を適正範囲内にすることが可能になり、スライム、スケール等の発生の抑制及び配管系等の腐食の抑制を一層確実に行うことができる。
【０１８２】
更に、第２実施形態に係る水処理システム２００は、電気伝導率を測定する電気伝導率測定装置２３３と、電気伝導率測定装置２３３により測定された散布水Ｗ２４０の電気伝導率に基づいて、補給水Ｗ２２０の補給及び散布水Ｗ２４０の排水の制御を行う第２制御部２８４と、を備える。
そのため、腐食性イオンやスケール発生因子等の濃度を適正範囲内にすることが可能になり、スライム、スケール等の発生の抑制を一層確実に行うことができる。
【０１８３】
また、第２実施形態に係る水処理システム２００は、第１判定部２８１及び第２判定部２８３により、散布水Ｗ２４０が清浄でないと判定された場合には、補給水Ｗ２２０の補給水量及び散布水Ｗ２４０の排水量として、酸化還元電位測定装置２３４により測定された酸化還元電位に基づく補給水Ｗ２２０の補給水量及び散布水Ｗ２４０の排水量、又は、電気伝導率測定装置２３３により測定された電気伝導率に基づく補給水Ｗ２２０の補給水量及び散布水Ｗ２４０の排水量のうち、補給水量及び排水量が多い方が実行される。
【０１８４】
そのため、酸化還元電位測定装置２３４により測定された散布水Ｗ２４０の酸化還元電位、並びに電気伝導率測定装置２３３により測定された電気伝導率ごとに補給水Ｗ２２０の補給及び散布水Ｗ２４０の排出を行うことを防止することができる。これにより、過大に補給及び排出を行うことを防止することができる。
【０１８５】
また、第２実施形態に係る水処理システム２００は、第１判定部２８１により散布水Ｗ２４０が清浄でないと判定された場合に、第２判定部２８３により散布水Ｗ２４０が濃縮していると判定されるまで、所定時間が経過した場合を除き、補給水Ｗ２２０の補給の制御及び散布水Ｗ２４０の排出の制御を待機させる。このように待機させることにより、スライム、スケール等の発生の抑制及び配管系等の腐食の抑制を最大限に維持しながら、過大に補給水Ｗ２２０の補給及び散布水Ｗ２４０の排出を行うことを防止することができる。
【０１８６】
以上、本発明の好適な実施形態について説明したが、本発明は前述した実施形態に限定されることなく、種々の形態で実施することができる。
例えば、開放式冷却塔を含む第１実施形態においては、酸化還元電位測定装置１３４は、循環水ラインＬ１１０に接続され、循環水ラインＬ１１０を流通する循環水Ｗ１１０の酸化還元電位を測定しているが、これに制限されない。例えば、酸化還元電位測定装置１３４は、冷却塔１１０の貯留部１１６に接続され、貯留部１１６に貯留される循環水Ｗ１１０の酸化還元電位を測定してもよい。また、酸化還元電位測定装置１３４は、冷却塔１１０の散水部１１２に接続され、散水部１１２に位置する循環水Ｗ１１０の酸化還元電位を測定してもよい。
【０１８７】
開放式冷却塔を含む第１実施形態においては、電気伝導率測定装置１３３は、循環水ラインＬ１１０に接続され、循環水ラインＬ１１０を流通する循環水Ｗ１１０の電気伝導率を測定しているが、これに制限されない。例えば、電気伝導率測定装置１３３は、冷却塔１１０の貯留部１１６に接続され、貯留部１１６に貯留される循環水Ｗ１１０の電気伝導率を測定してもよい。また、電気伝導率測定装置１３３は、冷却塔１１０の散水部１１２に接続され、散水部１１２に位置する循環水Ｗ１１０の電気伝導率を測定してもよい。
【０１８８】
密閉式冷却塔を含む第２実施形態においては、酸化還元電位測定装置２３４は、散布水ラインＬ２６０に接続され、散布水ラインＬ２６０を流通する散布水Ｗ２４０の酸化還元電位を測定しているが、これに制限されない。例えば、酸化還元電位測定装置２３４は、冷却塔２１０の貯留部２１６に接続され、貯留部２１６に貯留する散布水Ｗ２４０の酸化還元電位を測定してもよい。また、酸化還元電位測定装置２３４は、冷却塔２１０の散水部２１２に接続され、散水部２１２に位置する散布水Ｗ２４０の酸化還元電位を測定してもよい。
【０１８９】
密閉式冷却塔を含む第２実施形態においては、電気伝導率測定装置２３３は、散布水ラインＬ２６０に接続され、散布水ラインＬ２６０を流通する散布水Ｗ２４０の電気伝導率を測定しているが、これに制限されない。例えば、電気伝導率測定装置２３３は、冷却塔２１０の貯留部２１６に接続され、貯留部２１６に貯留する散布水Ｗ２４０の電気伝導率を測定してもよい。また、電気伝導率測定装置２３３は、冷却塔２１０の散水部２１２に接続され、散水部２１２に位置する散布水Ｗ２４０の電気伝導率を測定してもよい。
【０１９０】
開放式冷却塔を含む第１実施形態においては、原水補給水Ｗ１２１と軟化水補給水Ｗ１２２とはそれぞれ独立して、冷却塔１１０の貯留部１１６に補給されているが、これに制限されない。例えば、原水補給水Ｗ１２１及び軟化水補給水Ｗ１２２は、冷却塔１１０の外部で合流した状態で、冷却塔１１０の貯留部１１６に補給されてもよい。密閉式冷却塔を含む第２実施形態においても同様である。
【０１９１】
開放式冷却塔を含む第１実施形態においては、冷却塔１１０の貯留部１１６への補給水Ｗ１２０の補給の際に、排水ラインＬ１３０を介して、貯留部１１６に貯留された循環水Ｗ１１０を冷却塔１１０の外部へ強制的に排出しているが、これに制限されない。例えば、排水ラインＬ１３０を介した循環水Ｗ１１０の強制的な排出を行わずに、オーバーフローラインＬ１４０を介した循環水Ｗ１１０の排出のみを行ってもよい。密閉式冷却塔を含む第２実施形態においても同様である。
【０１９２】
開放式冷却塔を含む第１実施形態においては、原水補給水ラインＬ１２２は、原水補給水Ｗ１２１を貯留部１１６へ補給し、軟化水補給水ラインＬ１２３は、軟化水補給水Ｗ１２２を貯留部１１６へ補給しているが、これに制限されない。例えば、原水補給水ラインＬ１２２は、原水補給水Ｗ１２１を貯留部１１６、散水部１１２及び循環水ラインＬ１１０のうちのいずれか１つ以上へ補給してもよい。また、軟化水補給水ラインＬ１２３は、軟化水補給水Ｗ１２２を貯留部１１６、散水部１１２及び循環水ラインＬ１１０のうちのいずれか１つ以上へ補給してもよい。
以下の第１実施形態の変形例に関する説明は、密閉式冷却塔を含む第２実施形態の変形例にも適宜適用又は援用される。
【０１９３】
図７から図１２を参照して、第１実施形態における原水補給水Ｗ１２１及び軟化水補給水Ｗ１２２の補給位置に関する変形例について説明する。図７は、第１実施形態における原水補給水Ｗ１２１及び軟化水補給水Ｗ１２２の補給位置に関する第１変形例を示す図である。図８は、第１実施形態における原水補給水Ｗ１２１及び軟化水補給水Ｗ１２２の補給位置に関する第２変形例を示す図である。図９は、第１実施形態における原水補給水Ｗ１２１及び軟化水補給水Ｗ１２２の補給位置に関する第３変形例を示す図である。図１０は、第１実施形態における原水補給水Ｗ１２１及び軟化水補給水Ｗ１２２の補給位置に関する第４変形例を示す図である。図１１は、第１実施形態における原水補給水Ｗ１２１及び軟化水補給水Ｗ１２２の補給位置に関する第５変形例を示す図である。図１２は、第１実施形態における原水補給水Ｗ１２１及び軟化水補給水Ｗ１２２の補給位置に関する第６変形例を示す図である。図７から図１２においては、システム制御装置１０１に関連する制御線を省略している。
【０１９４】
図７に示す第１変形例のように、原水補給水ラインＬ１２２は、原水補給水Ｗ１２１を貯留部１１６へ補給し、軟化水補給水ラインＬ１２３は、軟化水補給水Ｗ１２２を散水部１１２へ補給してもよい。
また、図８に示す第２変形例のように、原水補給水ラインＬ１２２は、原水補給水Ｗ１２１を散水部１１２へ補給し、軟化水補給水ラインＬ１２３は、軟化水補給水Ｗ１２２を貯留部１１６へ補給してもよい。
【０１９５】
また、図９に示す第３変形例のように、原水補給水ラインＬ１２２は、原水補給水Ｗ１２１を散水部１１２へ補給し、軟化水補給水ラインＬ１２３は、軟化水補給水Ｗ１２２を散水部１１２へ補給してもよい。
また、図１０に示す第４変形例のように、原水補給水ラインＬ１２２は、原水補給水Ｗ１２１を循環水ラインＬ１１０へ補給し、軟化水補給水ラインＬ１２３は、軟化水補給水Ｗ１２２を循環水ラインＬ１１０へ補給してもよい。
【０１９６】
また、図１１に示す第５変形例のように、原水補給水ラインＬ１２２は、原水補給水Ｗ１２１を循環水ラインＬ１１０へ補給し、軟化水補給水ラインＬ１２３は、軟化水補給水Ｗ１２２を貯留部１１６へ補給してもよい。
また、図１２に示す第６変形例のように、原水補給水ラインＬ１２２は、原水補給水Ｗ１２１を貯留部１１６へ補給し、軟化水補給水ラインＬ１２３は、軟化水補給水Ｗ１２２を循環水ラインＬ１１０へ補給してもよい。
【０１９７】
密閉式冷却塔を含む第２実施形態においては、原水補給水ラインＬ２２２は、原水補給水Ｗ２２１を貯留部２１６へ補給し、軟化水補給水ラインＬ２２３は、軟化水補給水Ｗ２２２を貯留部２１６へ補給しているが、これに制限されない。例えば、原水補給水ラインＬ２２２は、原水補給水Ｗ２２１を貯留部２１６、散水部２１２及び散布水ラインＬ２６０のうちのいずれか１つ以上へ補給してもよい。また、軟化水補給水ラインＬ２２３は、軟化水補給水Ｗ２２２を貯留部２１６、散水部２１２及び散布水ラインＬ２６０のうちのいずれか１つ以上へ補給してもよい。
【０１９８】
具体的には、第２実施形態における原水補給水ラインＬ２２２は、第１実施形態における原水補給水Ｗ１２１の補給位置に関する前記第１変形例から前記第６変形例（図７から図１２参照）と同様に、原水補給水Ｗ２２１を貯留部２１６以外へ補給してもよい。また、第２実施形態における軟化水補給水ラインＬ２２３は、第１実施形態における軟化水補給水Ｗ１２２の補給位置に関する前記第１変形例から前記第６変形例（図７から図１２参照）と同様に、軟化水補給水Ｗ２２２を貯留部２１６以外へ補給してもよい。
【符号の説明】
【０１９９】
１００，２００  水処理システム
１０１，２０１  システム制御装置
１１０，２１０  冷却塔
１１２，２１２  散水部
１１６，２１６  貯留部
１３１，２３１  被冷却装置
１３３，２３３  電気伝導率測定装置
１３４，２３４  酸化還元電位測定装置
１４１，２４１  補給水ポンプ（補給水流通手段）
１４４，２４４  軟化水補給水バルブ
１５２，２５２  原水補給水バルブ（補給水流通手段）
１８１，２８１  第１判定部（第１判定手段）
１８２，２８２  第１制御部（第１制御手段）
１８３，２８３  第２判定部（第２判定手段）
１８４，２８４  第２制御部（第２制御手段）
Ｌ１１０  循環水ライン
Ｌ１１１  循環水供給ライン
Ｌ１１２  循環水回収ライン
Ｌ１２２，Ｌ２２２  原水補給水ライン
Ｌ１２３，Ｌ２２３  軟化水補給水ライン
Ｌ２１０  循環液ライン
Ｌ２１１  循環液供給ライン
Ｌ２１２  循環液回収ライン
Ｌ２５０  冷却塔内部ライン
Ｌ２６０  散布水ライン
Ｗ１１０  循環水
Ｗ１２０，Ｗ２２０  補給水
Ｗ１２１，Ｗ２２１  原水補給水
Ｗ１２２，Ｗ２２２  軟化水補給水
Ｗ２１０  循環液
Ｗ２４０  散布水
【図１】
0005471422.tif 000002
【図２】
0005471422.tif 000003
【図３】
0005471422.tif 000004
【図４】
0005471422.tif 000005
【図５】
0005471422.tif 000006
【図６】
0005471422.tif 000007
【図７】
0005471422.tif 000008
【図８】
0005471422.tif 000009
【図９】
0005471422.tif 000010
【図１０】
0005471422.tif 000011
【図１１】
0005471422.tif 000012
【図１２】
0005471422.tif 000013